(57)【特許請求の範囲】
【請求項１】
バッテリーにより動作し、無線通信方式がそれぞれ異なる第一のネットワークと第二のネットワークとの間の通信を中継する中継装置であって、
前記第一のネットワークに接続され、第一の無線通信方式により無線通信を行う第一通信部と、
前記第二のネットワークに接続され、第二の無線通信方式により無線通信を行う第二通信部と、
前記バッテリーの残量を検出するバッテリー残量検出手段と、
無線通信方式に応じた通信データを生成し、前記第一通信部および前記第二通信部の少なくとも一方に与える制御部と
を備え、
前記制御部は、
前記バッテリーの残量が所定の条件を満たすとき、前記通信データにバッテリー残量が減少した旨を示す情報を付与し、
前記第一通信部および前記第二通信部の少なくとも一方は、
前記バッテリー残量が減少した旨を示す情報が付与された通信データを、対応するネットワークに送出し、
前記制御部は、
前記バッテリーの残量が所定の条件を満たすとき、前記第一通信部の通信動作を停止させ、
前記第二通信部は、
前記第二のネットワークに帰属する端末からの通信データを、前記第二のネットワークに帰属する他の端末に中継する
ことを特徴とする中継装置。
【請求項２】
前記制御部は、
前記バッテリーの残量が所定の条件を満たし、所定の時間経過したとき、
前記第一通信部の通信動作を停止させる
ことを特徴とする請求項１記載の中継装置。
【請求項３】
バッテリーにより動作し、無線通信方式がそれぞれ異なる第一のネットワークと第二のネットワークとの間の通信を中継する中継装置であって、
前記第一のネットワークに接続され、第一の無線通信方式により無線通信を行う第一通信部と、
前記第二のネットワークに接続され、第二の無線通信方式により無線通信を行う第二通信部と、
前記バッテリーの残量を検出するバッテリー残量検出手段と、
無線通信方式に応じた通信データを生成し、前記第一通信部および前記第二通信部の少なくとも一方に与える制御部と
を備え、
前記第一通信部および前記第二通信部の少なくとも一方は、
当該中継装置を捕捉するための制御信号を、対応するネットワークに送出し、
前記制御部は、
前記バッテリーの残量が所定の条件を満たすとき、前記通信データとしての前記制御信号に、
バッテリー残量が減少した旨を示す情報と、
前記制御信号を受信した端末により実行され、当該中継装置と通信を行うか否かを選択させる命令とを付与する
ことを特徴とする中継装置。
【請求項４】
前記制御部は、
前記バッテリーの残量が所定の条件を満たすとき、
前記第一通信部および前記第二通信部の少なくとも一方の通信動作を停止させる
ことを特徴とする請求項３記載の中継装置。
【請求項５】
前記制御部は、
前記バッテリーの残量が所定の条件を満たし、所定の時間経過したとき、
前記第一通信部および前記第二通信部の少なくとも一方の通信動作を停止させる
ことを特徴とする請求項３または４記載の中継装置。
【請求項６】
前記第一通信部および前記第二通信部の少なくとも一方は、
前記制御信号に当該中継装置を識別するネットワーク識別子の情報を含め、定期的に、対応するネットワークに送出する
ことを特徴とする請求項３〜５の何れか１項に記載の中継装置。
【請求項７】
前記第一通信部および前記第二通信部の少なくとも一方は、
当該中継装置と通信を確立するための接続要求信号を受信したとき、
前記制御信号に当該中継装置を識別するネットワーク識別子の情報を含め、対応するネットワークに送出する
ことを特徴とする請求項３〜５の何れか１項に記載の中継装置。
【請求項８】
前記第一通信部および前記第二通信部の少なくとも一方は、
キャリアセンスによって無線チャネルの空き状態を検出した後、少なくとも、所定の時間範囲から選択した送信待機時間を経過したとき、通信データの送出を可能な状態にする媒体アクセス制御を行い、
前記制御部は、
前記バッテリーの残量が所定の条件を満たすとき、単位時間当たりにおける前記送信待機時間の割合を増加させる
ことを特徴とする請求項１〜７の何れか１項に記載の中継装置。
【請求項９】
前記第一通信部および前記第二通信部の少なくとも一方は、
前記媒体アクセス制御において、所定の固定時間に、前記所定の時間範囲からランダムに選択した時間を加えた時間を、前記送信待機時間とし、
前記制御部は、
前記バッテリーの残量が所定の条件を満たすとき、前記媒体アクセス制御における所定の時間範囲の下限値を増加させる
ことを特徴とする請求項８記載の中継装置。
【請求項１０】
前記制御部は、
前記バッテリーの残量が少ない程、前記媒体アクセス制御における所定の時間範囲の下限値を増加させる
ことを特徴とする請求項８または９記載の中継装置。
【請求項１１】
前記第一の無線通信方式は、ＩＥＥＥ８０２．１６−２００４規格またはＩＥＥＥ８０２．１６ｅ規格に準拠した無線通信方式であり、
前記第二の無線通信方式は、ＩＥＥＥ８０２．１１規格に準拠した無線通信方式である
ことを特徴とする請求項１〜１０の何れか１項に記載の中継装置。
【請求項１２】
前記制御部が生成する、前記バッテリー残量が減少した旨を示す情報が付与された通信データは、
第二通信部に与える通信データとしては、ＩＥＥＥ８０２．１１規格で規定される無線ＬＡＮのプロトコルを拡張したメッセージであり、
第一通信部に与える通信データとしては、ＩＥＥＥ８０２．１６−２００４規格またはＩＥＥＥ８０２．１６ｅ規格で規定されるＷｉＭＡＸのプロトコルを拡張したメッセージである
ことを特徴とする請求項１〜１１の何れか１項に記載の中継装置。
【請求項１３】
バッテリーにより動作し、無線通信方式がそれぞれ異なる第一のネットワークと第二のネットワークとの間の通信を中継する中継装置の制御方法であって、
前記バッテリーの残量を検出するステップと、
前記バッテリーの残量が所定の条件を満たすとき、バッテリー残量が減少した旨を示す情報を付与した通信データを生成するステップと、
前記バッテリー残量が減少した旨を示す情報が付与された通信データを、前記第一のネットワークおよび前記第二のネットワークの少なくとも一方に送出するステップと、
前記バッテリーの残量が所定の条件を満たすとき、前記第一のネットワークとの通信動作を停止するステップと、
前記第二のネットワークに帰属する端末からの通信データを、前記第二のネットワークに帰属する他の端末に中継するステップと
を有する
ことを特徴とする中継装置の制御方法。
【発明の詳細な説明】
【技術分野】
【０００１】
本発明は、バッテリーにより動作し、無線通信方式がそれぞれ異なるネットワーク間の通信を中継する中継装置および中継装置の制御方法に関する。
【背景技術】
【０００２】
従来の技術において、例えば、「通信装置のバッテリ残量について定期的にチェックを行い、バッテリ残量の不足を検知した段階で、ユーザが装着する通信装置に対し警告音となる音声信号を送信する。」ものが提案されている（例えば、特許文献１参照）。
【先行技術文献】
【特許文献】
【０００３】
【特許文献１】特開２００３−８７３６７号公報
【発明の概要】
【発明が解決しようとする課題】
【０００４】
今日、伝送路に電波や音波などを用いる無線通信が頻繁に行われている。
無線通信では無線通信装置が空間に電波や音波を送出し伝搬を始め、次に伝搬途中で中継装置が波動を受け取り、この中継装置が受け取った波動を再び空間に送出し伝搬を始め、次に伝搬途中で別の中継装置が波動を受け取り、この別の中継装置が受け取った波動を再び空間に送出し伝搬を始め、こうして中継装置が波動を中継することで無線通信が行える地域を拡大している。
【０００５】
昨今、無線通信の方式として、ＩＥＥＥ（The Institute of Electrical and Electronics Engineers, Inc.）で策定され規定されたＩＥＥＥ８０２．１１、ＩＥＥＥ８０２．１６−２００４およびＩＥＥＥ８０２．１６ｅが実施されるようになった。
ＩＥＥＥ８０２．１１は無線ＬＡＮ（Local Area Network）、ＩＥＥＥ８０２．１６−２００４はＷｉＭＡＸ（Worldwide Interoperability for Microwave Access）、ＩＥＥＥ８０２．１６ｅはＭｏｂｉｌｅ  ＷｉＭＡＸとして知られおり、これらの無線通信においても中継が行われる。
例えば、具体的な中継として、無線ＬＡＮとＷｉＭＡＸの間の中継があり、無線ＬＡＮ−ＷｉＭＡＸ中継装置（以降、ＷＷ（Wireless LAN−WiMAX）中継装置と略す。）が中継を行う。
利用者はＷＷ中継装置を自宅に設置することで、無線ＬＡＮをＷｉＭＡＸに中継（または、その逆の中継）ができるようになる。
【０００６】
ＷＷ中継装置は、例えば利用者の自宅の商用電源から給電され動作するが、自宅が停電したときなど、商用電源からの電力供給が停止した場合に備えてバッテリー（battery：電池）による動作も可能としているものがある。
【０００７】
ここで、中継装置がバッテリーによる動作をしているとき、バッテリーの電気がなくなると中継装置は停止し中継をやめる。こうして利用者は突然にＷｉＭＡＸのサービスに接続ができなくなってしまう。
【０００８】
したがって、中継装置がバッテリーによる動作をしているとき、中継装置のバッテリーの残量が減少したことを、中継機能の利用者に通知することができる中継装置および中継装置の制御方法が望まれていた。
【０００９】
ところで、上記特許文献１では、通信装置はバッテリー残量を定期的にチェックしバッテリー残量の不足を検知した段階で、別の通信装置に対してブルートゥース（Bluetooth）（登録商標）の規格に準拠した無線通信で警告音となる音声信号を通知することが提案されている。
【００１０】
しかし、特許文献１の提案では、バッテリー残量の不足の内容の通知をしているに過ぎず、バッテリーの残量に基づき電気の消費を抑え、バッテリーでの動作時間を延長することまで考慮されていない、という問題点があった。
【００１１】
したがって、中継装置のバッテリーの残量が減少した際に、バッテリーの電気の消費を抑えることができる中継装置および中継装置の制御方法が望まれていた。
【００１２】
また、特許文献１の提案では、通信装置が別の通信装置に対しブルートゥースの無線通信を利用してバッテリー残量の不足の内容の音声信号を送信するので、通信装置と別の通信装置の間がブルートゥースにより接続設定（ペアリング）され通信可能な状態であることが前提である。
このため、特許文献１の提案では、通信装置のバッテリー残量が不足していたとしても、通信装置と別の通信装置とが接続設定してからバッテリー残量不足の情報を受けなければならないので、通信装置と別の通信装置が接続設定する以前に、別の通信装置が接続先となる通信装置のバッテリー残量不足の情報を得ることができない、という問題点があった。
【００１３】
したがって、端末が中継装置との通信を確立する前に、バッテリー残量不足の情報を通知することができる中継装置および中継装置の制御方法が望まれていた。
【課題を解決するための手段】
【００１４】
本発明に係る中継装置は、バッテリーにより動作し、無線通信方式がそれぞれ異なる第一のネットワークと第二のネットワークとの間の通信を中継する中継装置であって、前記第一のネットワークに接続され、第一の無線通信方式により無線通信を行う第一通信部と、前記第二のネットワークに接続され、第二の無線通信方式により無線通信を行う第二通信部と、前記バッテリーの残量を検出するバッテリー残量検出手段と、無線通信方式に応じた通信データを生成し、前記第一通信部および前記第二通信部の少なくとも一方に与える制御部とを備え、前記制御部は、前記バッテリーの残量が所定の条件を満たすとき、前記通信データにバッテリー残量が減少した旨を示す情報を付与し、前記第一通信部および前記第二通信部の少なくとも一方は、前記バッテリー残量が減少した旨を示す情報が付与された通信データを、対応するネットワークに送出し、前記制御部は、前記バッテリーの残量が所定の条件を満たすとき、前記第一通信部の通信動作を停止させ、前記第二通信部は、前記第二のネットワークに帰属する端末からの通信データを、前記第二のネットワークに帰属する他の端末に中継するものである。
【００１５】
本発明に係る中継装置は、バッテリーにより動作し、無線通信方式がそれぞれ異なる第一のネットワークと第二のネットワークとの間の通信を中継する中継装置であって、前記第一のネットワークに接続され、第一の無線通信方式により無線通信を行う第一通信部と、前記第二のネットワークに接続され、第二の無線通信方式により無線通信を行う第二通信部と、前記バッテリーの残量を検出するバッテリー残量検出手段と、前記第一通信部および前記第二通信部の動作を制御する制御部とを備え、前記第一通信部および前記第二通信部の少なくとも一方は、キャリアセンスによって無線チャネルの空き状態を検出した後、少なくとも、所定の時間範囲から選択した送信待機時間を経過したとき、通信データの送出を可能な状態にする媒体アクセス制御を行い、前記制御部は、前記バッテリーの残量が所定の条件を満たすとき、単位時間当たりにおける前記送信待機時間の割合を増加させるものである。
【００１６】
本発明に係る中継装置の制御方法は、バッテリーにより動作し、無線通信方式がそれぞれ異なる第一のネットワークと第二のネットワークとの間の通信を中継する中継装置の制御方法であって、前記バッテリーの残量を検出するステップと、前記バッテリーの残量が所定の条件を満たすとき、バッテリー残量が減少した旨を示す情報を付与した通信データを生成するステップと、前記バッテリー残量が減少した旨を示す情報が付与された通信データを、前記第一のネットワークおよび前記第二のネットワークの少なくとも一方に送出するステップと、前記バッテリーの残量が所定の条件を満たすとき、前記第一のネットワークとの通信動作を停止するステップと、前記第二のネットワークに帰属する端末からの通信データを、前記第二のネットワークに帰属する他の端末に中継するステップとを有するものである。
【発明の効果】
【００１７】
本発明は、バッテリーの残量が所定の条件を満たすとき、通信データにバッテリー残量が減少した旨を示す情報を付与し、バッテリー残量が減少した旨を示す情報が付与された通信データを、第一のネットワークおよび第二のネットワークの少なくとも一方に送出する。このため、バッテリーの残量が減少したことを、中継機能の利用者に通知することができる。
【図面の簡単な説明】
【００１８】
【図１】実施の形態１に係る無線通信システムの構成図である。
【図２】実施の形態１に係る中継装置１２の構成図である。
【図３】実施の形態１に係るチェック条件データの構成図である。
【図４】実施の形態１に係る残量対比データの構成図である。
【図５】実施の形態１に係る端末１３の構成図である。
【図６】実施の形態１に係る基地局１１の構成図である。
【図７】ネットワーク参照モデルに基づくＷｉＭＡＸのネットワークを説明する図である。
【図８】実施の形態１に係るバッテリー残量減少情報の通知動作および通信の制御動作を示す図である。
【図９】実施の形態１に係る生成する無線ＬＡＮのメッセージの構成図である。
【図１０】実施の形態１に係る生成するＷｉＭＡＸのメッセージの構成図である。
【図１１】実施の形態１に係る無線通信システムの動作のシーケンスを示す図である。
【図１２】実施の形態１に係るバッテリー残量減少情報６５の表示例を示す図である。
【図１３】実施の形態２に係る生成する無線ＬＡＮのメッセージの構成図である。
【図１４】実施の形態２に係るバッテリー残量減少情報１３１の表示例を示す図である。
【図１５】実施の形態２に係る無線通信システムの動作のシーケンスを示す図である。
【図１６】実施の形態３に係るバッテリー残量減少情報１３１の表示例を示す図である。
【図１７】実施の形態３に係る無線通信システムの動作のシーケンスを示す図である。
【図１８】実施の形態４に係るバッテリー残量減少情報の通知動作および通信の制御動作を示す図である。
【図１９】実施の形態４に係るチェック条件データの構成図である。
【図２０】実施の形態４に係る無線通信システムの動作のシーケンスを示す図である。
【発明を実施するための形態】
【００１９】
実施の形態１．
図１は実施の形態１に係る無線通信システムの構成図である。
図１において、本実施の形態１に係る無線通信システムは、基地局１１と中継装置１２と端末１３とから構成される。
【００２０】
（基地局１１の概要）
基地局１１はアンテナ１１ａを有し、無線ネットワークに接続して通信する基地局である。
本実施の形態１では、基地局１１はＩＥＥＥ８０２．１６−２００４で規定されるＷｉＭＡＸに基づいたプロトコルの通信をアンテナ１１ａにより電波伝搬するＷｉＭＡＸ基地局（ＢＳ：Base Station）として説明する。
基地局１１はアンテナ１１ａを中心に、ＷｉＭＡＸに基づいて接続可能な無線エリアＡ（図１の実線内）を形成し、無線エリアＡ内に存在する、図示されていないＷｉＭＡＸ端末（ＳＳ：Subscriber Station）と通信をする。
また、無線エリアＡ内に複数のＷｉＭＡＸ端末が存在し、これらのＷｉＭＡＸ端末が相互に接続するときには、基地局１１のアンテナ１１ａのＷｉＭＡＸ基地局を介して接続する。したがって、基地局１１は複数のＷｉＭＡＸ端末に対する中継機能も有している。
【００２１】
（中継装置１２の概要）
中継装置１２はアンテナ１２ａおよび１２ｂを有し、無線ネットワークに接続して通信を中継し相互接続する中継装置である。また、中継装置１２はバッテリーで動作可能で、バッテリーから電気を供給して動作する。
本実施の形態１では、中継装置１２はアンテナ１２ａでＷｉＭＡＸの通信をし、アンテナ１２ｂで無線ＬＡＮの通信をし、これら通信の中継機能を有する中継装置として説明する。
つまり、中継装置１２は、ＷＷ中継装置といえる。
したがって、中継装置１２は、ＩＥＥＥ８０２．１６−２００４で規定されるＷｉＭＡＸに基づいたプロトコルの通信をアンテナ１２ａにより電波伝搬するＷｉＭＡＸ端末であり、ＩＥＥＥ８０２．１１で規定される無線ＬＡＮに基づいたプロトコルの通信をアンテナ１２ｂにより電波伝搬する無線ＬＡＮアクセスポイント（ＡＰ：Access Point）でもある。
以下の説明において、中継装置１２は、アンテナ１２ａで得るＷｉＭＡＸの通信を無線ＬＡＮの通信に変換してアンテナ１２ｂにより無線伝搬する中継をし、アンテナ１２ｂで得る無線ＬＡＮの通信をＷｉＭＡＸの通信に変換しアンテナ１２ａにより電波伝搬する中継を行う中継装置として説明する。
【００２２】
なお、ＷｉＭＡＸは、本発明における「第一のネットワーク」に相当する。
また、無線ＬＡＮは、本発明における「第二のネットワーク」に相当する。
また、ＩＥＥＥ８０２．１６−２００４規格またはＩＥＥＥ８０２．１６ｅ規格に準拠した無線通信方式は、本発明における「第一の無線通信方式」に相当する。
また、ＩＥＥＥ８０２．１１規格に準拠した無線通信方式は、本発明における「第二の無線通信方式」に相当する。
【００２３】
中継装置１２はＷｉＭＡＸに基づいて接続可能な無線エリアＡに存在するとき、アンテナ１２ａでＷｉＭＡＸ端末として基地局１１と通信する。
中継装置１２はアンテナ１２ｂを中心に、無線ＬＡＮに基づいて接続可能な無線エリアＢ（図１の破線内）を形成し、無線エリアＢ内に存在する無線ＬＡＮ端末（ＳＴＡ：Station、以下「端末１３」と称する。）と通信をする。
また、無線エリアＢ内に複数の端末１３が存在し、これらの端末１３が相互に接続するときには、中継装置１２のアンテナ１２ｂの無線ＬＡＮアクセスポイントを介して接続する。したがって、中継装置１２は端末１３に対する中継機能も有している。
【００２４】
（端末１３の概要）
端末１３はアンテナ１３ｂを有し、無線ネットワークに接続して通信する端末である。
本実施の形態１では、端末１３はＩＥＥＥ８０２．１１で規定される無線ＬＡＮに基づいたプロトコルの通信をアンテナ１３ｂにより電波伝搬する無線ＬＡＮ端末として説明する。
端末１３は無線ＬＡＮに基づいて接続可能な無線エリアＢに存在するとき、アンテナ１３ｂで無線ＬＡＮ端末として中継装置１２と通信する。
【００２５】
上述したとおり、基地局１１は無線エリアＡ内に存在する中継装置１２と無線通信し、中継装置１２は無線エリアＢ内に存在する端末１３と無線通信し、端末１３と基地局１１は中継装置１２を介して通信することが可能となっている。
【００２６】
（中継装置１２の詳細説明）
図２は実施の形態１に係る中継装置１２の構成図である。
図２において、本実施の形態１に係る中継装置１２は、アンテナ１２ａと、アンテナ１２ｂと、第一通信部２１と、第二通信部２２と、記憶部２３と、バッテリー２４と、制御部２５とから構成される。
【００２７】
なお、制御部２５は、本発明における「バッテリー検出手段」および「制御部」に相当する。
【００２８】
アンテナ１２ａおよびアンテナ１２ｂは電波伝搬する部分であり、空中に電波を送出し空中から電波を受ける。
【００２９】
第一通信部２１はアンテナ１２ａとバス（Ｂｕｓ：構成部位のあいだでデータをやり取りするための回路）で接続されており、アンテナ１２ａで送受する電波を制御する部分である。
したがって、第一通信部２１とアンテナ１２ａとでＩＥＥＥ８０２．１６−２００４で規定されるＷｉＭＡＸに基づいたプロトコルの通信をする。
また、第一通信部２１は制御部２５からメッセージを与えられると、アンテナ１２ａで送受する電波を制御し、メッセージに関するＷｉＭＡＸの通信の電波を送出する。
【００３０】
第二通信部２２はアンテナ１２ｂとバスで接続されており、アンテナ１２ｂで送受する電波を制御する部分である。
したがって、第二通信部２２とアンテナ１２ｂとでＩＥＥＥ８０２．１１で規定される無線ＬＡＮに基づいたプロトコルの通信をする。
また、第二通信部２２は制御部２５からメッセージを与えられると、アンテナ１２ｂで送受する電波を制御し、メッセージに関する無線ＬＡＮの通信の電波を送出する。
【００３１】
なお、本実施の形態１における「メッセージ」は、本発明における「通信データ」の一例である。
【００３２】
バッテリー２４は電気を蓄えている部分であり、図２に図示されていない給電線で第一通信部２１、第二通信部２２、記憶部２３および制御部２５に接続して電気を与え中継装置１２を動作させる。
また、バッテリー２４は給電線またはバスで制御部２５に接続してバッテリーの残量に関するデータをやりとりする。
【００３３】
制御部２５は中継装置１２の中継の制御をする部分である。
制御部２５はバスにより第一通信部２１および第二通信部２２と接続され通信の中継の制御をする。
【００３４】
制御部２５は、第一通信部２１および第二通信部２２が制御し送受する電波に関する信号処理をする。
制御部２５は、第一通信部２１の電波の送受の制御で、アンテナ１２ａから得るＷｉＭＡＸの通信を信号処理して無線ＬＡＮの通信に変換し、第二通信部２２に与えることで中継をする。
制御部２５は、第二通信部２２の電波の送受の制御で、アンテナ１２ｂから得る無線ＬＡＮの通信を信号処理しＷｉＭＡＸの通信に変換し、第一通信部２１に与えることで中継をする。
【００３５】
また、制御部２５は、第二通信部２２の電波の制御で、アンテナ１２ｂから得る無線ＬＡＮの通信を信号処理して第二通信部２２に与えることで、無線エリアＢ内に存在する無線ＬＡＮの端末に無線ＬＡＮの通信を中継する。
こうすることで、中継装置１２のアンテナ１２ｂを介して無線エリアＢ内の複数の無線ＬＡＮの端末が相互に接続できるようになる。
【００３６】
さらに、制御部２５は、バッテリー２４の残量を検出するバッテリー残量検出手段として動作する。そして、バッテリー２４の残量をチェックして、メッセージにバッテリー残量が減少した旨を示す情報を付与し、第一通信部２１および第二通信部２２の少なくとも一方に与えてバッテリー残量減少情報の通知をする。
また、制御部２５は、バッテリー２４の残量に応じて、第一通信部２１および第二通信部２２の少なくとも一方の通信動作を停止させる通信の制御を行う。
具体的な動作は後述する。
【００３７】
記憶部２３はデータを記憶する部分であり、バスで制御部２５と接続され、記憶するデータをやりとりする。記憶するデータとしては、バッテリーの残量のチェックに関する点検項目である「チェック条件データ」と、「残量対比データ」とがある。
このチェック条件データと残量対比データのデータ構成を図３、図４により説明する。
【００３８】
（チェック条件データ）
図３は実施の形態１に係るチェック条件データの構成図である。
図３において、本実施の形態１に係るチェック条件データは、バッテリー残量条件３１のデータと、通信を開始する通信部３２のデータと、通信を閉塞する通信部３３のデータと、閉塞するタイミング３４のデータと、メッセージを送信する通信部３５のデータと、メッセージタイプ３６のデータとから構成される。
【００３９】
例えば、図３の上段では最初のチェック条件データとして、バッテリー残量条件３１を「２０％」と設定し、通信を開始する通信部３２を「第一通信部２１および第二通信部２２」と設定し、通信を閉塞する通信部３３を設定無しの空と設定し、閉塞するタイミング３４を設定無しの空と設定し、メッセージを送信する通信部３５を「第二通信部２２」と設定し、メッセージタイプ３６を「無線ＬＡＮ」と設定している。
図３の下段では別のチェック条件データとして、バッテリー残量条件３１を「１０％」と設定し、通信を開始する通信部３２を「第一通信部２１および第二通信部２２」と設定し、通信を閉塞する通信部３３を「第一通信部２１」と設定し、閉塞するタイミング３４を「１０秒後」と設定し、メッセージを送信する通信部３５を「第一通信部２１および第二通信部２２」と設定し、メッセージタイプ３６を「無線ＬＡＮおよびＷｉＭＡＸ」と設定している。
なお、チェック条件データは適宜に設定・変更が可能である。
なお、図３のチェック条件データは上段と下段の二つの条件が設定されているが、これに限定されるものではなく、さらに複数の条件を設定してもよい。
【００４０】
なお、図３の例では、１つのチェック条件データについて、バッテリー残量条件３１を１つ設定する場合を説明するが、本発明はこれに限定するものではない。例えば、バッテリー残量条件３１として「１１％以上２０％以下」など所定の範囲としても良いし、「１０％以下」など下限値を設定しても良い。これにより、例えば残量が急激に低下した場合であっても、残量減の検知が可能となる。
【００４１】
（残量対比データ）
図４は実施の形態１に係る残量対比データの構成図である。
図４において、本実施の形態１に係る残量対比データは、電圧範囲４１のデータと、バッテリー残量４２のデータとから構成される。
【００４２】
例えば、図４の最上段では残量対比データとして、電圧範囲４１を「７．０〜７．４」と設定し、バッテリー残量４２を「９０％」と設定している。
図４の最上段から１つ下の２段目では別の残量対比データとして、電圧範囲４１を「６．５〜６．９」と設定し、バッテリー残量４２を「８０％」と設定している。
なお、残量対比データは適宜に設定・変更が可能である。
なお、図４の残量対比データは最上段から１９段の条件が設定されているが、これに限定されるものではなく、さらに複数の条件を設定してもよい。
【００４３】
（端末１３の詳細説明）
図５は実施の形態１に係る端末１３の構成図である。
図５において、本実施の形態１に係る端末１３は、アンテナ１３ｂと通信部８１と制御部８２と表示部８３とから構成される。
【００４４】
アンテナ１３ｂは電波伝搬する部分であり、空中に電波を送出し空中から電波を受ける。
通信部８１はアンテナ１３ｂとバスで接続されており、アンテナ１３ｂで送受する電波を制御する部分である。
【００４５】
制御部８２は端末１３の通信の制御をする部分である。
制御部８２はバスで通信部８１と接続して通信の制御をする。
制御部８２は通信部８１が制御し送受する電波に関する信号処理をする。
制御部８２は端末１３の内部で処理する信号を信号処理して無線ＬＡＮの通信に変換して通信部８１に与える。また、通信部８１の電波の送受の制御でアンテナ１３ｂから得る無線ＬＡＮの通信を信号処理して端末１３の内部で処理する信号に変換をする。
【００４６】
具体的には、例えば端末１３が、無線エリアＡに存在する図１に図示されていないＷｉＭＡＸ端末ａと、Ｐ２Ｐ（Peer to Peer）接続する場合、制御部８２で図８に図示されていないＰ２ＰＡＳ（Peer to Peer Application Software）を実行し、Ｐ２ＰＡＳからＷｉＭＡＸ端末ａに対する接続要求を発生すると、制御部８２は接続要求の信号を信号処理して無線ＬＡＮの通信に変換して通信部８１に与え、通信部８１が電波の送受の制御でアンテナ１３ｂからこの無線ＬＡＮの通信の電波を送出する。
送出された電波は中継装置１２で中継され基地局１１を介してＷｉＭＡＸ端末ａに到達する。ＷｉＭＡＸ端末ａが接続要求に対する応答の接続応答の電波を送出すると、基地局１１を介して中継装置１２で中継され端末１３に到達する。
通信部８１は電波の送受の制御でアンテナ１３ｂから得る接続応答の電波を信号処理しＰ２ＰＡＳに与える。こうして、端末１３とＷｉＭＡＸ端末ａとの間でＰ２Ｐ接続にいたる。
【００４７】
さらに、制御部８２は通信部８１が電波の送受の制御でアンテナ１３ｂから得る無線ＬＡＮの通信を信号処理したとき、後述するバッテリー残量が減少した旨を示す情報が付与されたメッセージを取得した場合、取得したメッセージに基づいた情報を表示部８３に与える。具体的な動作は後述する。
【００４８】
表示部８３は制御部８２から与えられる情報を表示する部分である。
表示部８３はＬＣＤ（Liquid Crystal Display）などの機能を有し、制御部８２から与えられる情報を表示する。
【００４９】
（基地局１１の詳細説明）
図６は実施の形態１に係る基地局１１の構成図である。
図６において、本実施の形態１に係る基地局１１は、アンテナ１１ａと第一通信部９１と第二通信部９２と制御部９３とから構成される。
【００５０】
アンテナ１１ａは電波伝搬する部分であり、空中に電波を送出し空中から電波を受ける。
第一通信部９１はアンテナ１１ａとバスで接続されており、アンテナ１１ａで送受する電波を制御する部分である。
【００５１】
第二通信部９２は、図１に図示されていないバックボーンに接続する。また、第二通信部９２は、バックボーン内に配備された管理装置に接続して、制御部９３から与えられる情報に基づいた情報を管理装置に送出する部分である。
【００５２】
ここで、上述した基地局１１が接続するバックボーンと管理装置について説明する。
【００５３】
図７はネットワーク参照モデルに基づくＷｉＭＡＸのネットワークを説明する図である。
ＩＥＥＥ８０２．１６標準規格に関するシステムプロファイルの規定や仕様適合性と相互運用性の試験に基づく機器の認証などを行うＷｉＭＡＸフォーラム（WiMAX Forum）は、ネットワークの各機能をまとめたネットワーク参照モデル（ＮＲＭ：Network Reference Model）を策定している。ネットワーク参照モデルに基づくＷｉＭＡＸのネットワークは図７のようになる。
【００５４】
ＡＳＮ（Access Service Network）１０１は無線接続機能を司るネットワークで、ＷｉＭＡＸ端末に無線接続を提供する。
ＣＳＮ（Connectivity Service Network）１０２はＩＰ接続機能を司るネットワークで、ＷｉＭＡＸ端末にＩＰ接続を提供する。
ＡＳＰ（Application Service Network）１０３はＡＳＰ（Application Service Provider）サービスやインターネット接続機能を司るネットワークで、ＷｉＭＡＸ端末にＡＳＰサービスやインターネット接続を提供する。
また、ＡＳＮ１０１にはＡＳＮゲートウェイ（ASN Gateway）などが配備され、ＣＳＮと接続し、ＣＳＮ１０２にはＤＨＣＰ（Dynamic Host Configuration Protocol）サーバ、ＨＡ（Home Agent）サーバ、ＰｏｌｌｉｃｙサーバおよびＡＡＡ（Authentication, Authorization, and Accounting）サーバなどが配備され、各機能を提供する。
【００５５】
したがって、上述した基地局１１が接続するバックボーンとは、ＡＳＮ１０１、ＣＳＮ１０２、ＡＳＰ１０３およびインターネットである。さらに、企業内ＬＡＮや家庭内ＬＡＮがインターネットに接続しＡＳＰ１０３に接続可能な場合は、基地局１１、ＡＳＮ１０１、ＣＳＮ１０２、ＡＳＰ１０３およびインターネットと企業内ＬＡＮおよび家庭内ＬＡＮとのあいだはＩＳＯ（International Organization for Standardization）で規定されるＯＳＩ参照モデル（OSI Reference Model）のいずれかの層において論理的な接続が可能となるため、企業内ＬＡＮや家庭内ＬＡＮもバックボーンに含まれる。
【００５６】
管理装置は基地局１１が接続するバックボーンの中に配備され、バークボーンの状況を管理し、バークボーンの中に配備されたＡＳＮゲートウェイ、ＤＨＣＰサーバ、ＨＡサーバ、ＰｏｌｌｉｃｙサーバおよびＡＡＡサーバなども管理するものである。管理装置が行う管理の具体例として、ログ管理、サーバの死活管理およびネットワーク（バックボーン）の状態管理などがある。また、管理装置はＡＳＮゲートウェイ、ＤＨＣＰサーバ、ＨＡサーバ、ＰｏｌｌｉｃｙサーバおよびＡＡＡサーバの内部の機能として備えられてもよい。
本実施の形態においては、管理装置はＡＳＰ１０３の中に配備されていることとして説明する。
【００５７】
再び図６において、制御部９３は基地局１１の中継の制御をする部分である。
制御部９３はバスで第一通信部９１と接続して通信の中継の制御をする。
制御部９３は第一通信部９１の電波の送受の制御でアンテナ１１ａから得るＷｉＭＡＸの通信を信号処理して第一通信部９１に与えることで、無線エリアＡ内に存在するＷｉＭＡＸ端末にＷｉＭＡＸの通信を中継する。
こうすることで、基地局１１を介して無線エリアＡ内の複数のＷｉＭＡＸ端末が相互に接続できるようになる。
【００５８】
さらに、制御部９３は第一通信部９１でのＷｉＭＡＸの通信により、中継装置１２からバッテリー残量が減少した旨を示す情報が付与されたメッセージを取得した場合、取得したメッセージに基づいた情報を第二通信部９２に与える。
具体的な動作は後述する。
【００５９】
第二通信部９２は制御部９３から情報を得るとバックボーンの中に配備された管理装置に当該情報を送る。
管理装置は基地局１１の第二通信部から情報を得ると表示および／または保存する。
こうして、管理装置は中継装置１２のバッテリーの残量が減少していることを表示および／または保存できるようになる。
【００６０】
以上、本実施の形態における無線通信システムの各部の構成の詳細を説明した。
次に、中継装置１２によるバッテリー残量減少情報の通知動作および通信の制御動作の概要と、メッセージの内容について説明する。
【００６１】
（バッテリー残量減少情報の通知動作および通信の制御動作）
図８は実施の形態１に係るバッテリー残量減少情報の通知動作および通信の制御動作を示す図である。
図８において、本実施の形態１に係るバッテリーの残量情報の通知に関する制御の動作は、条件呼出の処理Ｓ５１と、バッテリー残量取得の処理Ｓ５２と、バッテリー残量判断の処理Ｓ５３と、通信開始の処理Ｓ５４と、メッセージ生成の処理Ｓ５５と、メッセージ送出の処理Ｓ５６と、通信閉塞の処理Ｓ５７と、次バッテリー残量条件判断の処理Ｓ５８とを有する。
【００６２】
まず、制御部２５は条件呼出の処理Ｓ５１において、バスで記憶部２３と接続しデータをやりとりし最初のチェック条件データを呼び出す。呼び出すチェック条件データは図３の上段のである。
【００６３】
つづいて、バッテリー残量取得の処理Ｓ５２において、給電線またはバスでバッテリー２４と接続しバッテリーの残量に関するデータをやりとりし残量を取得する。
具体的には、制御部２５はバッテリー２４における端子での測定電圧を測定し、バスで記憶部２３と接続し残量対比データを参照し、測定電圧が合致する範囲を判断することで対応するバッテリー残量（割合：％）を取得する。
【００６４】
つづいて、バッテリー残量判断の処理Ｓ５３において、条件呼出の処理Ｓ５１で呼び出したチェック条件データのバッテリー残量条件３１のデータの設定とバッテリー残量取得の処理Ｓ５２で取得した残量とを照合し一致するか判断する。
【００６５】
一致しない場合は、通信開始の処理Ｓ５４において、条件呼出の処理Ｓ５１で呼び出したチェック条件データの通信を開始する通信部３２のデータで設定してある通信部で適宜に通信を始める。通信動作は後述する。
以降、バッテリー残量取得の処理Ｓ５２からを繰り返す。
【００６６】
一方、一致する場合は、メッセージ生成の処理Ｓ５５において、条件呼出の処理Ｓ５１で呼び出したチェック条件データの、メッセージタイプ３６のデータで設定してあるメッセージタイプのメッセージを生成し、さらに条件呼出の処理Ｓ５１で呼び出したチェック条件データの、メッセージを送信する通信部３５のデータで設定してある通信部にメッセージを与える。
【００６７】
つづいて、メッセージ送出の処理Ｓ５６において、メッセージ生成の処理Ｓ５５でメッセージを与えられた通信部はメッセージをアンテナから送出する。
【００６８】
つづいて、通信閉塞の処理Ｓ５７において、条件呼出の処理Ｓ５１で呼び出したチェック条件データの、通信を閉塞する通信部３３のデータで設定してある通信部を、条件呼出の処理Ｓ５１で呼び出したチェック条件データの、閉塞するタイミング３４のデータで設定してあるタイミングで閉塞する。
閉塞すると通信部は通信を止める。
【００６９】
つづいて、次バッテリー残量条件判断の処理Ｓ５８において、条件呼出の処理Ｓ５１で呼び出したチェック条件データとは別のチェック条件データがあるか判断する。
別のチェック条件データがない場合は、動作を終了する。
【００７０】
一方、別のチェック条件データがある場合は、別のチェック条件データを呼び出す。
呼び出すチェック条件データは図３の下段のである。
以降、バッテリー残量取得の処理Ｓ５２からを繰り返す。
【００７１】
（メッセージ）
上述した、メッセージ生成の処理Ｓ５５で生成するメッセージの説明をする。
【００７２】
メッセージ生成の処理Ｓ５５において、条件呼出の処理Ｓ５１で呼び出したチェック条件データの、メッセージタイプ３６のデータで設定してあるメッセージタイプのメッセージを生成する。
このメッセージはバッテリー残量が減少したことを示すものである。
チェック条件データのメッセージタイプ３６のデータの設定として「無線ＬＡＮ」と「ＷｉＭＡＸ」のメッセージタイプがある。
したがって、メッセージ生成の処理Ｓ５５では、メッセージタイプが「無線ＬＡＮ」の場合は無線ＬＡＮのメッセージを生成し、メッセージタイプが「ＷｉＭＡＸ」の場合はＷｉＭＡＸのメッセージを生成する。
【００７３】
（無線ＬＡＮのメッセージ）
まず、メッセージ生成の処理Ｓ５５で生成する無線ＬＡＮのメッセージの説明をする。
無線ＬＡＮにはビーコン（Beacon）のフレームが存在する。
ビーコンとは、無線ＬＡＮのアクセスポイントが周期的に送出し、送出したビーコンのフレームを無線ＬＡＮの端末が受信することで、無線ＬＡＮの端末はビーコンのフレームを送出したアクセスポイントの存在を検知できるようにする制御情報である。
無線ＬＡＮの端末はアクセスポイントの存在を検知すると、このアクセスポイントと通信することができるようになる。
本実施の形態１では、第二通信部２２とアンテナ１２ｂとでＩＥＥＥ８０２．１１で規定される無線ＬＡＮに基づいたビーコンのフレームを周期的に送出する。
【００７４】
無線ＬＡＮで送受するフレームはＭＡＣ（Media Access Control）ヘッダとフレームボディーとから構成され、ＭＡＣヘッダのフレーム制御フィールドでフレームの種別を設定し、フレームボディーに情報を格納して送受する。
したがって、ビーコンのフレームは、ＭＡＣヘッダのフレーム制御フィールドでフレームの種別をビーコンと設定し、フレームボディーにビーコン情報要素の情報を格納して送受する。
無線ＬＡＮで送受するフレームにはＦＣＳ（Frame Check Sequence）などの誤り検出などの領域もあるが説明は省略する。
【００７５】
メッセージ生成の処理Ｓ５５で生成する無線ＬＡＮのメッセージは、上記したビーコンのフレームを形成し、さらにフレームボディーにバッテリー残量減少情報を含めたフレームである。
【００７６】
図９は実施の形態１に係る生成する無線ＬＡＮのメッセージの構成図である。
図９において、本実施の形態１に係る生成する無線ＬＡＮのメッセージは、ＭＡＣヘッダ６１とフレーム制御フィールド６２とフレームボディー６３とビーコン情報要素６４とバッテリー残量減少情報６５とから構成される。
ＭＡＣヘッダ６１、フレーム制御フィールド６２およびビーコン情報要素６４は、第二通信部２２とアンテナ１２ｂとで送出するビーコンと同様であるが、フレームボディー６３はバッテリー残量減少情報６５を含める拡張がされている。
バッテリー残量減少情報６５はバッテリー残量が減少したことを示す情報であり、例えば「中継装置のバッテリーの残量が減少しています」の文字列の情報である。
【００７７】
具体的には、図９に示すように、フレームの種別をビーコンと設定（Type value = 00,Subtype value = 1000）したフレーム制御フィールド６２を含むＭＡＣヘッダ６１を設定する。また、ビーコンとして必要な情報を設定したビーコン情報要素６４を含むフレームボディー６３を設定する。そして、ＭＡＣヘッダ６１およびフレームボディー６３を合わせてビーコンのフレームを形成し、さらにフレームボディー６３にバッテリー残量減少情報６５の「中継装置のバッテリーの残量が減少しています」の文字列を含める拡張をしたフレームを生成する。
【００７８】
なお、バッテリー残量減少情報６５は、本発明における「バッテリー残量が減少した旨を示す情報」に相当する。
【００７９】
（ＷｉＭＡＸのメッセージ）
次に、メッセージ生成の処理Ｓ５５で生成するＷｉＭＡＸのメッセージの説明をする。
ＷｉＭＡＸにはＲＮＧ−ＲＥＱ（Ranging Request）のフレームが存在する。
ＲＮＧ−ＲＥＱとは、ＷｉＭＡＸ端末がＷｉＭＡＸの基地局に送出し、送出したＲＮＧ−ＲＥＱのフレームをＷｉＭＡＸの基地局が受信することで、ＷｉＭＡＸの基地局はＲＮＧ−ＲＥＱのフレームを送出したＷｉＭＡＸ端末の存在を検知できるようにするものである。
ＷｉＭＡＸ端末が送出するＲＮＧ−ＲＥＱのフレームは、端末自身が適応できる運用能力の情報を含んでおり、ＷｉＭＡＸの基地局は検知したＷｉＭＡＸ端末の運用能力を把握できる。
ＷｉＭＡＸの基地局はＷｉＭＡＸ端末を検知し運用能力を把握すると、このＷｉＭＡＸ端末と通信することができるようになる。
本実施の形態１では、第一通信部２１とアンテナ１２ａとでＩＥＥＥ８０２．１６−２００４で規定されるＷｉＭＡＸに基づいたＲＮＧ−ＲＥＱのフレームを周期的に送出する。
【００８０】
ＷｉＭＡＸで送受するＭＡＣマネジメントメッセージ（MAC Management Message）のフレームは一般ＭＡＣヘッダ（Generic MAC Header）とペイロードとから構成され、ペイロードのマネジメントメッセージタイプ（Management Message Type）でフレームの種別を設定し、マネジメントメッセージペイロード（Management Message Payload）に情報を格納して送受する。
したがって、ＲＮＧ−ＲＥＱのフレームは、ペイロードのマネジメントメッセージタイプでフレームの種別をＲＮＧ−ＲＥＱと設定し、マネジメントメッセージペイロードにＲＮＧ−ＲＥＱを構成する情報を格納して送受する。
ＷｉＭＡＸで送受するフレームにはＣＲＣ（Cyclic Redundancy Check）などの誤り検出などの領域もあるが説明は省略する。
【００８１】
メッセージ生成の処理Ｓ５５で生成するＷｉＭＡＸのメッセージは、上記したＮＧ−ＲＥＱのフレームを形成し、さらにマネジメントメッセージタイプの空き領域にバッテリー残量減少情報を含めたフレームである。
【００８２】
図１０は実施の形態１に係る生成するＷｉＭＡＸのメッセージの構成図である。
図１０において、本実施の形態１に係る生成するＷｉＭＡＸのメッセージは、一般ＭＡＣヘッダ７１とペイロード７２とマネジメントメッセージタイプ７３とマネジメントメッセージペイロード７４とから構成される。
一般ＭＡＣヘッダ７１およびマネジメントメッセージペイロード７４は、第一通信部２１とアンテナ１２ａとで送出するＲＮＧ−ＲＥＱと同様であるが、ペイロード７２はマネジメントメッセージタイプ７３の空き領域にバッテリー残量が減少したことを示すバッテリー残量減少情報のフラグを設定する拡張がされている。このフラグはビット（bit）やバイト（byte）のフラグである。
【００８３】
具体的には、図１０に示すように、ヘッダタイプを一般ＭＡＣヘッダと設定（Header Type = 0）した一般ＭＡＣヘッダ７１を設定する。また、フレームの種別をＲＮＧ−ＲＥＱと設定（Management Message Type = 4）したマネジメントメッセージタイプ７３とＲＮＧ−ＲＥＱを構成する情報を設定したマネジメントメッセージペイロード７４とを含むペイロード７２を設定する。そして、一般ＭＡＣヘッダ７１およびペイロード７２を合わせてＲＮＧ−ＲＥＱのフレームを形成し、さらにマネジメントメッセージタイプ７３の空き領域にバッテリー残量が減少したことを示す情報のフラグを設定（Battery Warning Message = 1）する拡張をしたフレームを生成する。
【００８４】
なお、マネジメントメッセージタイプ７３のフラグ（Battery Warning Message = 1）は、本発明における「バッテリー残量が減少した旨を示す情報」に相当する。
【００８５】
次に、中継装置１２によるバッテリー残量減少情報の通知動作および通信の制御動作の具体例と、基地局１１、中継装置１２、および端末１３の通信動作のシーケンスについて説明する。
【００８６】
（通信動作のシーケンス）
図１１は実施の形態１に係る無線通信システムの動作のシーケンスを示す図である。
以降、図に基づき説明する。
【００８７】
まず、図８を参照する。
中継装置１２はバッテリー２４から電気を供給されると動作を開始する。
このときバッテリー２４のバッテリー残量は９０％以上であるとする。
【００８８】
（Ｓ５１）
中継装置１２が動作を開始すると、まず制御部２５は条件呼出の処理Ｓ５１において、バスで記憶部２３と接続しデータをやりとりし、最初のチェック条件データを呼び出す。呼び出すチェック条件データは図３の上段の最初のチェック条件データである。
すなわち、バッテリー残量条件３１「２０％」、通信を開始する通信部３２「第一通信部２１および第二通信部２２」、通信を閉塞する通信部３３無し、閉塞するタイミング３４無し、メッセージを送信する通信部３５「第二通信部２２」、メッセージタイプ３６「無線ＬＡＮ」を呼び出す。
【００８９】
（Ｓ５２）
つづいて、制御部２５はバッテリー残量取得の処理Ｓ５２において、給電線またはバスでバッテリー２４と接続しバッテリーの残量に関するデータをやりとりし残量「９０％」を取得する。
このとき、制御部２５はバッテリー２４における端子での測定電圧を測定し、測定電圧「７．０Ｖ（ボルト）」を取得し、バスで記憶部２３と接続し残量対比データを参照し、測定電圧「７．０Ｖ」が合致する範囲が「７．０〜７．４」であると判断することで対応するバッテリー残量「９０％」を取得している。
【００９０】
（Ｓ５３）
つづいて、制御部２５はバッテリー残量判断の処理Ｓ５３において、条件呼出の処理Ｓ５１で呼び出したチェック条件データのバッテリー残量条件３１「２０％」とバッテリー残量取得の処理Ｓ５２で取得した残量「９０％」とを照合し一致するか判断する。
この場合、一致しないので、通信開始の処理Ｓ５４において、条件呼出の処理Ｓ５１で呼び出したチェック条件データの通信を開始する通信部３２「第二通信部２２および第一通信部２１」で適宜に通信を始める。
以降、バッテリー残量取得の処理Ｓ５２からを繰り返す。
【００９１】
中継装置１２で通信が始まると、中継装置１２は基地局１１とのあいだで無線通信をし、さらに中継装置１２は端末１３とのあいだで無線通信をする。
【００９２】
中継装置１２は第一通信部２１とアンテナ１２ａとでＩＥＥＥ８０２．１６−２００４で規定されるＷｉＭＡＸに基づいたＲＮＧ−ＲＥＱのフレームを周期的に送出する。
基地局１１はＲＮＧ−ＲＥＱを受信することで中継装置１２の存在を検知し運用能力を把握することで中継装置１２と通信することができるようになる。
【００９３】
このとき、基地局１１では制御部９３がアンテナ１１ａから得るＷｉＭＡＸの通信のうちＲＮＧ−ＲＥＱのフレームである場合、拡張されたＲＮＧ−ＲＥＱのフレームであるかを判断する。
この場合、マネジメントメッセージタイプ７３の空き領域にバッテリー残量が減少したことを示す情報のフラグが設定されておらず、拡張されていないＲＮＧ−ＲＥＱのフレームであるので、基地局１１はすぐに中継装置１２と通信をする。
【００９４】
中継装置１２は第二通信部２２とアンテナ１２ｂとでＩＥＥＥ８０２．１１で規定される無線ＬＡＮに基づいたビーコンを周期的に送出する。
端末１３はビーコンを受信することで中継装置１２の存在を検知することで中継装置１２と通信することができるようになる。
【００９５】
このとき、端末１３では制御部８２がアンテナ１３ｂから得る無線ＬＡＮの通信のうちビーコンのフレームである場合、拡張されたビーコンのフレームであるかを判断する。
この場合、ビーコン情報要素６４の後にバッテリー残量減少情報６５が含まれておらず、拡張されていないビーコンのフレームであるので、端末１３はすぐに中継装置１２と通信をする。
【００９６】
ここで、無線エリアＢ内に存在する端末１３が、無線エリアＡ内に存在する図１に図示されていないＷｉＭＡＸ端末ａとＰ２Ｐ接続を始めるとする。
この場合の中継動作を図１１により説明する。
【００９７】
（Ｓ１１０１）
端末１３は制御部８２でＰ２ＰＡＳを実行し、Ｐ２ＰＡＳからＷｉＭＡＸ端末ａに対する接続要求を発生すると、制御部８２は接続要求の信号を信号処理して無線ＬＡＮの通信に変換して通信部８１に与え、通信部８１が電波の送受の制御でアンテナ１３ｂからこの無線ＬＡＮの通信の電波を送出する。
端末１３から送出された無線ＬＡＮの通信の電波はやがて無線エリアＢ内に存在する中継装置１２に到達する。
【００９８】
（Ｓ１１０２）
中継装置１２は第二通信部２２の電波の送受の制御でアンテナ１２ｂから得る無線ＬＡＮの通信を信号処理しＷｉＭＡＸの通信に変換し第一通信部２１に与え、第一通信部２１の電波の送受の制御でアンテナ１２ａからこのＷｉＭＡＸの通信の電波を送出し中継をする。
中継装置１２で中継されたＷｉＭＡＸの通信の電波はやがて無線エリアＡ内に存在する基地局１１に到達する。
【００９９】
基地局１１は第一通信部９１の電波の送受の制御でアンテナ１１ａから得るＷｉＭＡＸの通信を信号処理して第一通信部９１に与え、第一通信部９１の電波の送受の制御でアンテナ１１ａからこのＷｉＭＡＸの通信の電波を送出し中継をする。
基地局１１で中継されたＷｉＭＡＸの通信の電波はやがて無線エリアＡ内に存在するＷｉＭＡＸ端末ａに到達する。
【０１００】
図示されていないＷｉＭＡＸ端末ａは受信したＷｉＭＡＸの通信から端末１３の接続要求を読み取ると、接続要求に対する接続応答の信号をＷｉＭＡＸの通信の電波で送出する。
ＷｉＭＡＸ端末ａから送出されたＷｉＭＡＸの通信の電波はやがて無線エリアＡ内に存在する基地局１１に到達する。
【０１０１】
（Ｓ１１０３）
基地局１１は第一通信部９１の電波の送受の制御でアンテナ１１ａから得るＷｉＭＡＸの通信を信号処理して第一通信部９１に与え、第一通信部９１の電波の送受の制御でアンテナ１１ａからこのＷｉＭＡＸの通信の電波を送出し中継をする。
基地局１１で中継されたＷｉＭＡＸの通信の電波はやがて無線エリアＡ内に存在する中継装置１２に到達する。
【０１０２】
（Ｓ１１０４）
中継装置１２は第一通信部２１の電波の送受の制御でアンテナ１２ａから得るＷｉＭＡＸの通信を信号処理し無線ＬＡＮの通信に変換し第二通信部２２に与え、第二通信部２２の電波の送受の制御でアンテナ１２ｂからこの無線ＬＡＮの通信の電波を送出し中継をする。
中継装置１２で中継された無線ＬＡＮの通信の電波はやがて無線エリアＢ内に存在する端末１３に到達する。
【０１０３】
端末１３は通信部８１の電波の送受の制御でアンテナ１３ｂから得る無線ＬＡＮの通信を信号処理し接続応答を読み取ると、接続応答をＰ２ＰＡＳに与える。
こうして、端末１３はＰ２ＰＡＳでＷｉＭＡＸ端末ａに接続要求を送信し、ＷｉＭＡＸ端末ａから接続応答を受信するので、ＷｉＭＡＸ端末ａとのあいだでＰ２Ｐ接続にいたる。
【０１０４】
再び図８を参照し中継装置１２の動作を説明する。
【０１０５】
中継装置１２が動作を続けるとバッテリー２４の残量が減少していく。
中継装置１２が動作を続けるあいだ、制御部２５がバッテリー残量取得の処理Ｓ５２からを繰り返している。
【０１０６】
あるとき、バッテリー２４の残量が２０％になる。
このとき、制御部２５はバッテリー２４における端子での測定電圧を測定し、測定電圧「３．５Ｖ」を取得し、バスで記憶部２３と接続し残量対比データを参照し、測定電圧「３．５Ｖ」が合致する範囲が「３．５〜３．９」であると判断することで対応するバッテリー残量「２０％」を取得している。
【０１０７】
（Ｓ５３）
つづいて、制御部２５はバッテリー残量判断の処理Ｓ５３において、条件呼出の処理Ｓ５１で呼び出したチェック条件データのバッテリー残量条件３１「２０％」とバッテリー残量取得の処理Ｓ４２で取得した残量「２０％」とを照合し一致するか判断する。
【０１０８】
（Ｓ５４）
この場合、一致するので、メッセージ生成の処理Ｓ５５において、条件呼出の処理Ｓ５１で呼び出したチェック条件データのメッセージタイプ３６「無線ＬＡＮ」のメッセージを生成し、さらに条件呼出の処理Ｓ５１で呼び出したチェック条件データの通信部３５「第二通信部２２」にメッセージを与える。
【０１０９】
（Ｓ５５）
このとき、メッセージ生成の処理Ｓ５５で生成するメッセージは「無線ＬＡＮ」のメッセージタイプである。
無線ＬＡＮ向けのメッセージは、図９に示すように、フレームの種別をビーコンと設定（Type value = 00,Subtype value = 1000）したフレーム制御フィールド６２を含むＭＡＣヘッダ６１を設定し、ビーコンとして必要な情報を設定したビーコン情報要素６４を含むフレームボディー６３を設定し、ＭＡＣヘッダ６１およびフレームボディー６３を合わせてビーコンのフレームを形成し、さらにフレームボディー６３にバッテリー残量減少情報６５の「中継装置のバッテリーの残量が減少しています」の文字列を含める拡張をしたフレームである。
【０１１０】
（Ｓ５６）
つづいて、メッセージ送出の処理Ｓ５６において、メッセージ生成の処理Ｓ５５でメッセージを与えられた第二通信部２２がアンテナ１２ｂで送受する電波を制御し、メッセージに関わる無線ＬＡＮの通信で電波を送出する。
【０１１１】
このとき、第二通信部２２は、アンテナ１２ｂで周期的に送出するビーコンのフレームをこのメッセージに置き換えて送出する。
【０１１２】
再び図１１を参照する。
【０１１３】
（Ｓ１１０５）
中継装置１２から送出されたメッセージに関わる無線ＬＡＮの通信の電波はやがて無線エリアＢ内に存在する端末１３に到達する。
【０１１４】
（Ｓ１１０６）
端末１３は通信部８１の電波の送受の制御でアンテナ１３ｂで無線ＬＡＮの通信を得て、制御部８２で拡張されたビーコンのフレームであるかを判断する。
具体的には、制御部８２はアンテナ１３ｂから得る無線ＬＡＮの通信がビーコンのフレームである場合、ビーコン情報要素６４の後にバッテリー残量減少情報６５が含まれているか判断し、バッテリー残量減少情報６５が含まれているときには拡張されたビーコンのフレームであると判断してバッテリー残量減少情報６５の情報を取得し表示部８３に与える。
【０１１５】
ここで、制御部８２はバッテリー残量減少情報６５を端末１３のＯＳ（Operating System）で取り扱える情報に変換した後に表示部８３に与える。
例えば、端末１３のＯＳがＭｉｃｒｏｓｏｆｔ  Ｗｉｎｄｏｗｓ（登録商標）の場合には、取得したバッテリー残量減少情報６５を、バッテリー残量減少情報６５の内容を含むウィンドウに変換する。
【０１１６】
ここでは、ビーコン情報要素６４の後にバッテリー残量減少情報６５が含まれているので、拡張されたビーコンのフレームであると判断してバッテリー残量減少情報６５「中継装置のバッテリーの残量が減少しています」の情報を取得し表示部８３に与える。
このとき、制御部８２はバッテリー残量減少情報６５の内容を含むウィンドウに変換した後に表示部８３に与える。
【０１１７】
端末１３の表示部８３は制御部８２から与えられたバッテリー残量減少情報６５「中継装置のバッテリーの残量が減少しています」の情報をＬＣＤに表示する。
このとき、端末１３の表示部８３のＬＣＤには図１２のようなウィンドウが表示される。
【０１１８】
こうして端末１３の表示部８３で「中継装置のバッテリーの残量が減少しています」の情報が表示されるので、端末１３の利用者は中継装置１２のバッテリーの残量が減少していることを知ることができる。
よって、端末１３の利用者は中継装置１２のバッテリーの電気がなくなる前に、中継装置１２を介しての通信を継続するか否かを予め選択できるようになる。
【０１１９】
再び図８を参照する。
【０１２０】
（Ｓ５７）
つづいて、制御部２５は通信閉塞の処理Ｓ５７において、条件呼出の処理Ｓ５１で呼び出したチェック条件データの、通信を閉塞する通信部３３のデータで設定してある通信部を、条件呼出の処理Ｓ５１で呼び出したチェック条件データの、閉塞するタイミング３４のデータで設定してあるタイミングで閉塞する。
この場合、図３の上段の通信を閉塞する通信部３３は無し、閉塞するタイミング３４は無しなので、通信閉塞の処理Ｓ５７で閉塞の処理は行われない。
【０１２１】
このとき、中継装置１２の通信閉塞の処理Ｓ５７で閉塞の処理は行われないので、端末１３の利用者は中継装置１２のバッテリーの残量が減少していることを知りつつ、端末１３とＷｉＭＡＸ端末ａとのあいだのＰ２Ｐ接続は接続中のままとなる。
【０１２２】
（Ｓ５８）
つづいて、制御部２５は次バッテリー残量条件判断の処理Ｓ５８において、条件呼出の処理Ｓ５１で呼び出したチェック条件データとは別のチェック条件データがあるか判断する。
【０１２３】
別のチェック条件データがない場合は、動作を終了する。
【０１２４】
一方、別のチェック条件データがある場合は、別のチェック条件データを呼び出す。
ここでは、次のチェック条件データがあるため、制御部２５は条件呼出の処理Ｓ５１において、最初に呼び出したチェック条件データの次のチェック条件データを読み出す。呼び出すチェック条件データは図３の下段のチェック条件である。
すなわち、バッテリー残量条件３１「１０％」、通信を開始する通信部３２「第一通信部２１および第二通信部２２」、通信を閉塞する通信部３３「第一通信部２１」、閉塞するタイミング３４「１０秒後」、メッセージを送信する通信部３５「第一通信部２１および第二通信部２２」、メッセージタイプ３６「ＷｉＭＡＸおよび無線ＬＡＮ」を呼び出す。
【０１２５】
中継装置１２が動作を続けるとバッテリー２４の残量が減少していく。
あるとき、バッテリー２４の残量が１０％になる。
【０１２６】
（Ｓ５２）
このとき、制御部２５はバッテリー残量取得の処理Ｓ５２において、給電線またはバスでバッテリー２４と接続しバッテリーの残量に関するデータをやりとりし残量「１０％」を取得する。
このとき、制御部２５はバッテリー２４における端子での測定電圧を測定し、測定電圧「２．５Ｖ」を取得し、バスで記憶部２３と接続し残量対比データを参照し、測定電圧「２．５Ｖ」が合致する範囲が「２．５」であると判断することで対応するバッテリー残量「１０％」を取得している。
【０１２７】
（Ｓ５３）
つづいて、制御部２５はバッテリー残量判断の処理Ｓ５３において、条件呼出の処理Ｓ５１で呼び出したチェック条件データのバッテリー残量「１０％」とを照合し一致するか判断する。
【０１２８】
（Ｓ５５）
この場合、一致するので、メッセージ生成の処理Ｓ５５において、条件呼出の処理Ｓ５１で呼び出したチェック条件データのメッセージタイプ３６「ＷｉＭＡＸおよび無線ＬＡＮ」のメッセージタイプのメッセージを生成し、さらに条件呼出の処理Ｓ５１で呼び出したチェック条件データの通信部３５「第一通信部２１および第二通信部２２」にメッセージを与える。
【０１２９】
このとき、メッセージ生成の処理Ｓ５５で生成するメッセージは「ＷｉＭＡＸおよび無線ＬＡＮ」のメッセージタイプである。
ＷｉＭＡＸ向けのメッセージは、図１０に示すように、ヘッダタイプを一般ＭＡＣヘッダと設定（Header Type = 0）した一般ＭＡＣヘッダ７１を設定し、フレームの種別をＲＮＧ−ＲＥＱと設定（Management Message Type = 4）したマネジメントメッセージタイプ７３とＲＮＧ−ＲＥＱを構成する情報を設定したマネジメントメッセージペイロード７４とを含むペイロード７２を設定し、一般ＭＡＣヘッダ７１およびペイロード７２を合わせてＲＮＧ−ＲＥＱのフレームを形成し、さらにマネジメントメッセージタイプ７３の空き領域にバッテリー残量が減少したことを示す情報のフラグを設定（Battery Warning Message = 1）する拡張をしたフレームである。
無線ＬＡＮ向けのメッセージは、図９に示すように、フレームの種別をビーコンと設定（Type value =00、Subtype value = 1000）したフレーム制御フィールド６２を含むＭＡＣヘッダ６１を設定し、ビーコンとして必要な情報を設定したビーコン情報要素６４を含むフレームボディー６３を設定し、ＭＡＣヘッダ６１およびフレームボディー６３を合わせてビーコンのフレームを形成し、さらにフレームボディー６３にバッテリー残量減少情報６５の「中継装置のバッテリーの残量が減少しています」の文字列を含める拡張をしたフレームである。
【０１３０】
（Ｓ５６）
つづいて、メッセージ送出の処理Ｓ５６において、メッセージ生成の処理Ｓ５５でメッセージを与えられた第一通信部２１がアンテナ１２ａで送受する電波を制御し、メッセージに関わるＷｉＭＡＸの通信で電波を送出する。
このとき、第一通信部２１は、アンテナ１２ａで周期的に送出するＲＮＧ−ＲＥＱのフレームをメッセージ生成の処理Ｓ５５で与えられたメッセージに置き換えて送出する。
【０１３１】
さらにメッセージ送出の処理Ｓ５６において、メッセージ生成の処理Ｓ５５でメッセージを与えられた第二通信部２２がアンテナ１２ｂで送受する電波を制御し、メッセージに関わる無線ＬＡＮの通信で電波を送出する。
このとき、第二通信部２２は、アンテナ１２ａで周期的に送出するビーコンのフレームをメッセージ生成の処理Ｓ５５で与えられたメッセージに置き換えて送出する。
【０１３２】
再び、図１１を参照する。
【０１３３】
（Ｓ１１０７）
中継装置１２から送出されたメッセージに関わるＷｉＭＡＸの通信の電波はやがて無線エリアＡ内に存在する基地局１１に到達する。
基地局１１は第一通信部９１の電波の送受の制御でアンテナ１１ａでＷｉＭＡＸの通信を得る。制御部９３はアンテナ１１ａから得るＷｉＭＡＸの通信がＲＮＧ−ＲＥＱのフレームである場合、マネジメントメッセージタイプ７３の空き領域にバッテリー残量が減少したことを示す情報のフラグが設定されているか判断する。
【０１３４】
この場合、ペイロード７２中のマネジメントメッセージタイプ７３の空き領域にバッテリー残量が減少したことを示す情報のフラグが設定されているので、拡張されたＲＮＧ−ＲＥＱのフレームであると判断する。そして、バッテリー残量が減少したことを示す情報のフラグ（Battery Warning Message = 1）に基づいて「中継装置のバッテリーの残量が減少しています」の文字の情報を生成し第二通信部９２に与える。
【０１３５】
ここで、制御部９３がフラグに基づいて生成する情報は、第二通信部９２が接続する管理装置が表示・保存できる形式で生成する。
例えば、管理装置が文字を表示できる場合は「中継装置のバッテリーの残量が減少しています」の文字列の情報を生成し、画像が表示できる場合は「中継装置のバッテリーの残量が減少しています」の意味を示す画像の情報を生成し、音声が鳴らせる場合は「中継装置のバッテリーの残量が減少しています」の意味を示す音声の情報を生成する。
【０１３６】
（Ｓ１１０８）
基地局１１の第二通信部９２は制御部９３から与えられた「中継装置のバッテリーの残量が減少しています」の情報を管理装置に送る。
こうして、管理装置は中継装置１２のバッテリーの残量が減少していることを表示および／または保存できるようになる。
【０１３７】
（Ｓ１１０９）
一方、中継装置１２から送出されたメッセージに関わる無線ＬＡＮの通信の電波はやがて無線エリアＢ内に存在する端末１３に到達する。
端末１３は通信部８１の電波の送受の制御でアンテナ１３ｂで無線ＬＡＮの通信を得て、制御部８２で拡張されたビーコンのフレームであるかを判断する。
この場合、ビーコン情報要素６４の後にバッテリー残量減少情報６５が含まれているので、拡張されたビーコンのフレームであると判断してバッテリー残量減少情報６５「中継装置のバッテリーの残量が減少しています」の情報を取得し表示部８３に与える。
このとき、制御部８２はバッテリー残量減少情報６５をバッテリー残量減少情報６５の内容を含むウィンドウに変換した後に表示部８３に与えている。
【０１３８】
（Ｓ１１０９）
端末１３の表示部８３は制御部８２から与えられたバッテリー残量減少情報６５「中継装置のバッテリーの残量が減少しています」の情報をＬＣＤに表示する。
このとき、端末１３の表示部８３のＬＣＤには図１２のようなウィンドウが表示される。
【０１３９】
こうして端末１３の表示部８３で「中継装置のバッテリーの残量が減少しています」の情報が表示されるので、端末１３の利用者は中継装置１２のバッテリーの残量が減少していることを知ることができる。
よって、端末１３の利用者は中継装置１２のバッテリーの電気がなくなる前に、中継装置１２を介しての通信を継続するか否かを予め選択できるようになる。
【０１４０】
再び、図８を参照する。
【０１４１】
（Ｓ５７）
つづいて、制御部２５は通信閉塞の処理Ｓ５７において、条件呼出の処理Ｓ５１で呼び出したチェック条件データの、通信を閉塞する通信部３３のデータで設定してある通信部を、条件呼出の処理Ｓ５１で呼び出したチェック条件データの、閉塞するタイミング３４のデータで設定してあるタイミングで閉塞する。
この場合、通信を閉塞する通信部３３「第一通信部２１」、閉塞するタイミング３４「１０秒後」なので、通信閉塞の処理Ｓ５７では、第一通信部２１でメッセージ生成の処理Ｓ５５で与えられたメッセージを送信後（周期的に送信するメッセージのうち一つ目のメッセージ（拡張されたＲＮＧ−ＲＥＱ）を送信後）、１０秒経過した後、第一通信部２１の閉塞の処理を行う。
【０１４２】
このとき、中継装置１２の通信閉塞の処理Ｓ５７で第一通信部２１の閉塞の処理が行われたので、以降、中継装置１２と基地局１１とのあいだの通信は閉塞（通信動作が停止）される。
【０１４３】
（Ｓ１１１１）
つまり端末１３は中継装置１２を中継してＷｉＭＡＸの通信を利用できないことになる。
一方、中継装置１２の第二通信部２２は閉塞されていないので、中継装置１２は無線エリアＢの通信の中継は行える。
よって、端末１３の利用者は、中継装置１２のバッテリー２４の残量が減少していることを知りつつ、端末１３と無線エリアＢ内の別の端末１３とのあいだの接続は接続可能となる。
【０１４４】
さらに、中継装置１２は第二通信部２２を閉塞したことで、第二通信部２２での通信が行われないから、バッテリー２４の電気の消費を抑えることができ、中継装置１２のバッテリー動作時間を延長できるようになる。
【０１４５】
（Ｓ５８）
つづいて、制御部２５は次バッテリー残量条件判断の処理Ｓ５８において、条件呼出の処理Ｓ５１で呼び出したチェック条件データとは別のチェック条件データがあるか判断する。
【０１４６】
別のチェック条件データがない場合は、動作を終了する。
【０１４７】
以降、中継装置１２はバッテリー２４から動作に必要な電気の供給が続く限り動作を続け、やがてバッテリー２４からの給電がなくなると停止する。
【０１４８】
以上のように本実施の形態においては、バッテリー２４の残量が所定の条件を満たすとき、メッセージにバッテリー残量が減少した旨を示す情報を付与し、第一通信部２１および第二通信部２２の少なくとも一方により、対応するネットワークに送出する。
このため、中継装置１２のバッテリー２４の残量が減少したことを、中継機能の利用者に通知することができる。
【０１４９】
また、バッテリーの残量が所定の条件を満たすとき、第一通信部２１および第二通信部２２の少なくとも一方の通信動作を停止させる。
このため、中継装置１２のバッテリー２４の残量が減少した際に、バッテリー２４の電気の消費を抑えることができる。よって、中継装置１２のバッテリー動作時間を延長できるようになる。
【０１５０】
また、バッテリーの残量が所定の条件を満たし、所定の時間経過したとき、第一通信部２１および第二通信部２２の少なくとも一方の通信動作を停止させる。
このため、中継装置１２のバッテリー２４の残量が減少したことを、中継機能の利用者に通知し、所定の時間経過した後に通信動作を停止させることが可能となる。
【０１５１】
また、バッテリーの残量が所定の条件を満たすとき、第一通信部の通信動作を停止させ、無線ＬＡＮに帰属する端末１３からの通信データを、無線ＬＡＮに帰属する他の端末１３に中継する。
このため、端末１３の利用者は中継装置１２のバッテリー２４の残量が減少していることを知りつつ、端末１３と無線エリアＢ内の別の端末１３とのあいだの接続は接続可能となる。
【０１５２】
実施の形態２．
上記実施の形態１では、中継装置１２と端末１３とのあいだで通信が確立されている（端末１３が中継装置１２に帰属している）ときに、中継装置１２がバッテリー残量減少情報を無線エリアＢに送出し端末１３に通知した。
【０１５３】
ところで、無線ＬＡＮでは、サービスエリアに設置したアクセスポイント（ＡＰ）と端末とのあいだを接続し通信を確立するために、端末によりＡＰを検索（スキャン）し、通信が可能なＡＰを捕捉することを行う。
検索方法として、アクティブスキャン（Active scan）方式、またはパッシブスキャン（Passive scan）方式が用いられる。
【０１５４】
パッシブスキャンとは、ＡＰが定期的に送出する制御信号（ビーコン）を端末がモニタし、制御信号（ビーコン）に含まれるＳＳＩＤ（Service Set Identifier：サービスセット識別子）が端末に設定されたＳＳＩＤと同じである場合は、ＡＰに接続処理を行う。
【０１５５】
アクティブスキャンとは、端末が接続要求信号（Probe Request）を送出し、ＡＰは受け取った接続要求信号（Probe Request）に対し、ＡＰに設定されているＳＳＩＤを含めた接続応答信号（Prove Response）を送出し、端末はＡＰからの接続応答信号（Prove Response）を受け取ると、端末と同じＳＳＩＤであるＡＰに接続処理を行う。
【０１５６】
本実施の形態２では、パッシブスキャンに対応する中継装置１２がバッテリー残量減少情報を無線エリアＢにビーコンに含めて送出し、中継装置１２と端末１３とのあいだで通信が確立される以前（端末１３が中継装置１２に帰属する以前）に、バッテリー残量減少情報を端末１３に通知する形態について説明する。
【０１５７】
なお、本実施の形態２における無線通信システムの構成は、上記実施の形態１と同様であり、中継装置１２、基地局１１および端末１３の構成も実施の形態１と同様である。
【０１５８】
以下、実施の形態２の動作を、上記実施の形態１との相違点を中心に、具体的に説明する。
【０１５９】
（中継装置１２の相違点）
上述した実施の形態１では、中継装置１２が特段にスキャン方式を意識した処理を示していない。
一方、本実施の形態２では、中継装置１２がパッシブスキャンに対応するように第二通信部２２には予めＳＳＩＤとして「ＳＳＩＤ１」が設定されている。
したがって、第二通信部２２はＳＳＩＤ「ＳＳＩＤ１」を含めたビーコンを、定期的に、アンテナ１２ｂで無線エリアＢに送出する。
【０１６０】
なお、ビーコンは、本発明における「制御信号」に相当する。
また、ビーコンは、本発明における「通信データ」の一例である。
また、ＳＳＩＤは、本発明における「ネットワーク識別子」に相当する。
【０１６１】
また、上述した実施の形態１では、制御部２５がメッセージ生成の処理Ｓ５５において生成する無線ＬＡＮのメッセージが図９に示す構成であった。
一方、本実施の形態２では図１３に示す構成である。
【０１６２】
ここで、図１３に示す無線ＬＡＮのメッセージは、図９に示す構成と同様にＭＡＣヘッダ６１とフレーム制御フィールド６２とフレームボディー６３とビーコン情報要素６４とを含んでいるが、図９に示す構成と比べると、バッテリー残量減少情報６５がバッテリー残量減少情報１３１に変更されている。
したがって、図１３に示す無線ＬＡＮのメッセージは、ＭＡＣヘッダ６１とフレーム制御フィールド６２とフレームボディー６３とビーコン情報要素６４とバッテリー残量減少情報１３１とから構成されている。
【０１６３】
バッテリー残量減少情報１３１は、バッテリー残量が減少した旨を示す情報と、ビーコンを受信した端末１３により実行され、当該中継装置１２と通信を行うか否かを選択させる命令とから構成されている。
具体的には、実施の形態２におけるバッテリー残量減少情報１３１は「中継装置のバッテリーの残量が減少しています,connected_selection」の文字列が含まれており、「中継装置のバッテリーの残量が減少しています」がバッテリー残量が減少したことを示す情報部分で、「connected_selection」が中継装置１２に帰属し通信を行うか否かを選択させる命令となっている。
また、情報部分と命令部分のあいだの「,」は命令の始まりを示すものであって、例えば、バッテリー残量減少情報１３１を含むメッセージを受けた端末１３が「,」以降が命令部分と判断できるようになっている。
【０１６４】
なお、実施の形態２の中継装置１２で生成するＷｉＭＡＸのメッセージは実施の形態１となんら変更されていない。
【０１６５】
（端末１３の相違点）
上記実施の形態１では、端末１３が特段にスキャン方式を意識した処理を示していない。
一方、本実施の形態２では、端末１３がパッシブスキャンに対応するように通信部８１には予めＳＳＩＤ「ＳＳＩＤ１」が設定されている。
したがって、通信部８１はＳＳＩＤを含めたビーコンをアンテナ１３ｂから得ると、自信に設定されたＳＳＩＤと比較し、自身に設定されたＳＳＩＤと同じである場合は、ＳＳＩＤを含めたビーコンを送出するアクセスポイントに接続処理を行う。
【０１６６】
また、上記実施の形態１では、制御部８２はアンテナ１３ｂから得る無線ＬＡＮの通信がビーコンのフレームである場合、ビーコン情報要素６４の後にバッテリー残量減少情報６５が含まれているか判断し、バッテリー残量減少情報６５が含まれているときには拡張されたビーコンのフレームであると判断してバッテリー残量減少情報６５の情報を取得した。そして、端末１３のＯＳで取り扱える情報である図１２に示すウィンドウに変換した後に表示部８３に与えた。
【０１６７】
一方、本実施の形態２では、取得したバッテリー残量減少情報１３１により、バッテリー残量が減少した旨を示す情報を表示し、さらに、中継装置１２に帰属し通信を行うか否かを選択させる操作ボタンを表示する。
例えば、図１４に示すウィンドウに変換する。つまり、本実施の形態２では、端末１３が中継装置１２から得るメッセージは、バッテリー残量減少情報１３１に「中継装置のバッテリーの残量が減少しています,connected_selection」の文字列が含まれるものなので、「connected_selection」の命令部分に基づいて、帰属し通信を行うか否かを選択させる図１４に示すウィンドウに変換する。
したがって、図１２と図１４とを比べると、図１４には「connected_selection」の命令部分に基づいて「通信を継続しますか？」の情報、通信を継続するか否かを選択する「はい（Ｙ）」ボタンおよび「いいえ（Ｎ）」ボタンが追加されている。
【０１６８】
次に、中継装置１２によるバッテリー残量減少情報の通知動作の具体例と、基地局１１、中継装置１２、および端末１３の通信動作のシーケンスについて、上記実施の形態１との相違点を中心に説明する。
【０１６９】
（通信動作のシーケンス）
図１５は実施の形態２に係る無線通信システムの動作のシーケンスを示す図である。
以降、図に基づき説明する。なお、上記実施の形態１と同一の動作には同一のステップ番号を付する。
【０１７０】
まず、図８を参照する。
中継装置１２はバッテリー２４から電気を供給されると動作を開始する。
このときバッテリー２４のバッテリー残量は９０％以上であるとする。
【０１７１】
中継装置１２が動作を開始すると、実施の形態１で説明したＳ５１〜Ｓ５４の処理を行う。
このとき中継装置１２が送出するビーコンにはＳＳＩＤ「ＳＳＩＤ１」が設定されている。
具体的にはＭＡＣフレームのＭＡＣヘッダ中にＳＳＩＤ「ＳＳＩＤ１」が設定されている。
【０１７２】
中継装置１２が動作を続けるとバッテリー２４の残量が減少していく。
中継装置１２が動作を続けるあいだ、制御部２５がバッテリー残量取得の処理Ｓ５２からを繰り返している。
【０１７３】
あるとき、バッテリー２４の残量が２０％になる。
このとき、制御部２５はバッテリー２４における端子での測定電圧を測定し、測定電圧「３．５Ｖ」を取得し、バスで記憶部２３と接続し残量対比データを参照し、測定電圧「３．５Ｖ」が合致する範囲が「３．５〜３．９」であると判断することで対応するバッテリー残量「２０％」を取得している。
【０１７４】
つづいて、制御部２５はバッテリー残量判断の処理Ｓ５３において、条件呼出の処理Ｓ５１で呼び出したチェック条件データのバッテリー残量条件３１「２０％」とバッテリー残量取得の処理Ｓ４２で取得した残量「２０％」とを照合し一致するか判断する。
この場合、一致するので、メッセージ生成の処理Ｓ５５において、条件呼出の処理Ｓ５１で呼び出したチェック条件データのメッセージタイプ３６「無線ＬＡＮ」のメッセージを生成し、さらに条件呼出の処理Ｓ５１で呼び出したチェック条件データの通信部３５「第二通信部２２」にメッセージを与える。
【０１７５】
このとき、メッセージ生成の処理Ｓ５５で生成するメッセージは「無線ＬＡＮ」のメッセージタイプなので、図１３に示すように、フレームの種別をビーコンと設定（Type value = 00,Subtype value = 1000）したフレーム制御フィールド６２を含むＭＡＣヘッダ６１を設定する。また、ビーコンとして必要な情報を設定したビーコン情報要素６４を含むフレームボディー６３を設定する。そして、ＭＡＣヘッダ６１およびフレームボディー６３を合わせてビーコンのフレームを形成し、さらにフレームボディー６３にバッテリー残量減少情報１３１の「中継装置のバッテリーの残量が減少しています,connected_selection」の文字列を含める拡張をしたフレームを生成する。
なお、ＭＡＣヘッダ６１にはＳＳＩＤ「ＳＳＩＤ１」が設定されている。
【０１７６】
つづいて、メッセージ送出の処理Ｓ５６において、メッセージ生成の処理Ｓ５５でメッセージを与えられた第二通信部２２がアンテナ１２ｂで送受する電波を制御し、メッセージに関わる無線ＬＡＮの通信で電波を送出する。
【０１７７】
このとき、第二通信部２２は、アンテナ１２ｂで周期的に送出するビーコンのフレームを、上記のメッセージに置き換えて送出するようになる。
【０１７８】
以降、中継装置１２は、上記実施の形態１と同様に通信閉塞の処理Ｓ５７と次バッテリー残量条件判断の処理Ｓ５８とを行う。
【０１７９】
（Ｓ１５０１）
図１５を参照する。
ここで、利用者によって端末１３が起動または移動することで無線エリアＢに存在するようになると、中継装置１２から送出されたメッセージに関わる無線ＬＡＮの通信の電波はやがて無線エリアＢ内に存在し、中継装置１２とのあいだで通信が確立されていない（中継装置１２に帰属していない）端末１３に到達する。
【０１８０】
端末１３は通信部８１の電波の送受の制御でアンテナ１３ｂで無線ＬＡＮの通信を得て、制御部８２で拡張されたビーコンのフレームであるかを判断する。
この場合、ビーコン情報要素６４の後にバッテリー残量減少情報１３１が含まれているので、拡張されたビーコンのフレームであると判断してバッテリー残量減少情報１３１「中継装置のバッテリーの残量が減少しています,connected_selection」の情報から「,」以前の「中継装置のバッテリーの残量が減少しています」を取得し表示部８３に与える。
このとき、制御部８２はバッテリー残量減少情報１３１「中継装置のバッテリーの残量が減少しています,connected_selection」の情報から「,」以降の「connected_selection」に基づいて、「connected_selection」の命令部分に基づいて、「通信を継続しますか？」の情報、通信を継続するか否かを選択する「はい（Ｙ）」ボタンおよび「いいえ（Ｎ）」ボタンを追加した、帰属し通信を行うか否かを選択させるウィンドウに変換した後に表示部８３に与えている。
【０１８１】
（Ｓ１５０２）
端末１３の表示部８３は制御部８２から与えられたバッテリー残量減少情報１３１「中継装置のバッテリーの残量が減少しています」の情報をＬＣＤに表示する。
このとき、端末１３の表示部８３のＬＣＤには図１４のようなウィンドウが表示される。
【０１８２】
こうして中継装置１２に帰属（通信を確立）していない端末１３の表示部８３で「中継装置のバッテリーの残量が減少しています」の情報が表示されるので、端末１３の利用者は中継装置１２のバッテリー２４の残量が減少していることを知ることができる。
【０１８３】
さらに、中継装置１２に帰属していない端末１３の利用者は、中継装置１２のバッテリー２４の電気が減少していることを知りつつ、端末１３を中継装置１２に帰属させて中継装置１２を介しての通信を行うか否かを予め選択できるようになる。
【０１８４】
ここで、端末１３が得たメッセージにはＳＳＩＤ「ＳＳＩＤ１」が設定されており、端末１３自身に設定されたＳＳＩＤと同じであるから、端末１３はメッセージを送出する中継装置１２に対して接続処理が行える。
【０１８５】
（Ｓ１５０３）
利用者がＬＣＤにポップアップ表示されたメッセージに対して、中継装置１２を介しての通信を確立する操作（「はい（Ｙ）」を選択）をすると、端末１３は中継装置１２とのあいだで接続処理を開始し、通信を確立する（帰属する）。
【０１８６】
一方、利用者がＬＣＤにポップアップ表示されたメッセージに対して、中継装置１２を介しての通信を確立しない操作（「いいえ（Ｎ）」を選択）をすると、端末１３と中継装置１２とのあいだで接続処理は行われない。
【０１８７】
また、利用者が通信を確立する操作または通信を確立しない操作を行うまで、端末１３は中継装置１２との接続処理を保留状態にしておく。
【０１８８】
以上のように本実施の形態においては、バッテリー２４の残量が所定の条件を満たすとき、中継装置１２を捕捉するための制御信号（ビーコン）に、バッテリー残量が減少した旨を示す情報と、端末１３により実行され中継装置１２と通信を行うか否かを選択させる命令とを付与し、無線ＬＡＮに送出する。
このため、端末１３が中継装置１２との通信を確立する以前に、バッテリー残量不足の情報を通知することができる。
よって、中継装置１２に帰属していない端末１３の利用者は、中継装置１２のバッテリー２４の電気が減少していることを知った後、端末１３を中継装置１２に帰属させて中継装置１２を介しての通信を行うか否かを選択できるようになる。
【０１８９】
実施の形態３．
本実施の形態３では、アクティブスキャンに対応する中継装置１２が、無線エリアＢに存在する端末１３と中継装置１２とのあいだで通信が確立される以前（中継装置１２に帰属する以前）に、端末１３から受ける検索要求（Probe Request）に対して、応答としてバッテリー残量減少情報を含めた接続応答（Prove Response）を返送して、バッテリー残量減少情報を端末１３に通知する形態について説明する。
【０１９０】
なお、本実施の形態３における無線通信システムの構成は、上記実施の形態１と同様であり、中継装置１２、基地局１１および端末１３の構成も実施の形態１と同様である。
【０１９１】
以下、実施の形態３の動作を、上記実施の形態１との相違点を中心に、具体的に説明する。
【０１９２】
（中継装置１２の相違点）
上述した実施の形態１では、中継装置１２が特段にスキャン方式を意識した処理を示していない。
一方、実施の形態３では、中継装置１２がアクティブスキャンに対応するように第二通信部２２には予めＳＳＩＤとして「ＳＳＩＤ１」が設定されている。
したがって、第二通信部２２はＳＳＩＤが含まれる接続要求信号（Probe Request）をアンテナ１３ｂから得ると、自身に設定されたＳＳＩＤと比較し、自身に設定されたＳＳＩＤと同じである場合は、設定されているＳＳＩＤを含めた接続応答信号（Prove Response）を送出する。
【０１９３】
なお、接続応答信号は、本発明における「制御信号」に相当する。
また、接続応答信号は、本発明における「通信データ」の一例である。
また、ＳＳＩＤは、本発明における「ネットワーク識別子」に相当する。
【０１９４】
また、上述した実施の形態１では、制御部２５がメッセージ生成の処理Ｓ５５において生成する無線ＬＡＮのメッセージが図９に示す構成であった。
一方、本実施の形態３では図１６に示す構成である。
【０１９５】
ここで、図１６に示す無線ＬＡＮのメッセージは、図９に示す構成と同様にＭＡＣヘッダ６１とフレームボディー６３とから構成されるが、図９に示す構成と比べると、フレーム制御フィールド６２がフレーム制御フィールド１６２に変更され、ビーコン情報要素６４が接続応答（Prove Response）情報要素１６４に変更され、バッテリー残量減少情報６５がバッテリー残量減少情報１３１に変更されている。
したがって、図１６に示す無線ＬＡＮのメッセージは、ＭＡＣヘッダ６１とフレーム制御フィールド１６２とフレームボディー６３と接続応答（Prove Response）情報要素１６４とバッテリー残量減少情報１３１とから構成されている。
【０１９６】
具体的には、図１６に示すように、フレームの種別を接続応答（Prove Response）と設定（Type value = 00,Subtype value = 0101）したフレーム制御フィールド１６２を含むＭＡＣヘッダ６１を設定する。また、接続応答（Prove Response）として必要な情報を設定した接続応答情報要素１６４を含むフレームボディー６３を設定する。そして、ＭＡＣヘッダ６１およびフレームボディー６３を合わせて接続応答（Prove Response）のフレームを形成し、さらにフレームボディー６３にバッテリー残量減少情報１３１を含める拡張をしたフレームを生成する。
ここで、本実施の形態３における図１６のバッテリー残量減少情報１３１は、上記実施の形態２における図１３のバッテリー残量減少情報１３１と同様である。
【０１９７】
なお、実施の形態３の中継装置１２で生成するＷｉＭＡＸのメッセージは実施の形態１となんら変更されていない。
【０１９８】
（端末１３の相違点）
上記実施の形態１では、端末１３が特段にスキャン方式を意識した処理を示していない。
一方、本実施の形態３では、端末１３がアクティブスキャンに対応するように通信部８１には予めＳＳＩＤ「ＳＳＩＤ１」が設定されている。
したがって、通信部８１は自身に設定されたＳＳＩＤを含む接続要求（Probe Request）をアンテナ１３ｂから送出する。
また、通信部８１はＳＳＩＤを含めた接続応答（Prove Response）をアンテナ１３ｂから得ると、自身に設定されたＳＳＩＤと比較し、自身に設定されたＳＳＩＤと同じである場合は、当該接続応答（Prove Response）を送出する中継装置１２（アクセスポイント）に接続処理を行う。
【０１９９】
また、本実施の形態３では、制御部８２はアンテナ１３ｂから得る無線ＬＡＮの通信が接続応答（Prove Response）である場合、接続応答情報要素１６４の後にバッテリー残量減少情報１３１が含まれているか判断し、バッテリー残量減少情報１３１が含まれているときには拡張された接続応答（Prove Response）のフレームであると判断してバッテリー残量減少情報１３１の情報を取得する。
そして制御部８２は、上記実施の形態２と同様に、バッテリー残量減少情報１３１の情報を、端末１３のＯＳで取り扱える情報である図１４に示すウィンドウに変換した後に表示部８３に与える。
したがって、実施の形態３では実施の形態２と同様に図１４に示すウィンドウに変換する。
【０２００】
次に、中継装置１２によるバッテリー残量減少情報の通知動作の具体例と、基地局１１、中継装置１２、および端末１３の通信動作のシーケンスについて、上記実施の形態１との相違点を中心に説明する。
【０２０１】
（通信動作のシーケンス）
図１７は実施の形態３に係る無線通信システムの動作のシーケンスを示す図である。
以降、図に基づき説明する。なお、上記実施の形態１と同一の動作には同一のステップ番号を付する。
【０２０２】
まず、図８を参照する。
中継装置１２はバッテリー２４から電気を供給されると動作を開始する。
このときバッテリー２４のバッテリー残量は９０％以上であるとする。
【０２０３】
中継装置１２が動作を開始すると、実施の形態１で説明したＳ５１〜Ｓ５４の処理を行う。
このとき中継装置１２が送出する接続応答（Prove Response）にはＳＳＩＤ「ＳＳＩＤ１」が設定されている。
具体的にはＭＡＣフレームのＭＡＣヘッダ中にＳＳＩＤ「ＳＳＩＤ１」が設定されている。
【０２０４】
中継装置１２が動作を続けるとバッテリー２４の残量が減少していく。
中継装置１２が動作を続けるあいだ、制御部２５がバッテリー残量取得の処理Ｓ５２からを繰り返している。
【０２０５】
あるとき、バッテリー２４の残量が２０％になる。
このとき、制御部２５はバッテリー２４における端子での測定電圧を測定し、測定電圧「３．５Ｖ」を取得し、バスで記憶部２３と接続し残量対比データを参照し、測定電圧「３．５Ｖ」が合致する範囲が「３．５〜３．９」であると判断することで対応するバッテリー残量「２０％」を取得している。
【０２０６】
つづいて、制御部２５はバッテリー残量判断の処理Ｓ５３において、条件呼出の処理Ｓ５１で呼び出したチェック条件データのバッテリー残量条件３１「２０％」とバッテリー残量取得の処理Ｓ５２で取得した残量「２０％」とを照合し一致するか判断する。
この場合、一致するので、メッセージ生成の処理Ｓ５５において、条件呼出の処理Ｓ５１で呼び出したチェック条件データのメッセージタイプ３６「無線ＬＡＮ」のメッセージを生成し、さらに条件呼出の処理Ｓ５１で呼び出したチェック条件データの通信部３５「第二通信部２２」にメッセージを与える。
【０２０７】
このとき、メッセージ生成の処理Ｓ５５で生成するメッセージは「無線ＬＡＮ」のメッセージタイプなので、図１６に示すように、フレームの種別を接続応答（Prove Response）と設定（Type value = 00,Subtype value = 0101）したフレーム制御フィールド１６２を含むＭＡＣヘッダ６１を設定する。また、接続応答（Prove Response）として必要な情報を設定した接続応答情報要素１６４を含むフレームボディー６３を設定する。そして、ＭＡＣヘッダ６１およびフレームボディー６３を合わせて接続応答（Prove Response）のフレームを形成し、さらにフレームボディー６３にバッテリー残量減少情報１３１の「中継装置のバッテリーの残量が減少しています,connected_selection」の文字列を含める拡張をしたフレームである。
なお、ＭＡＣヘッダ６１にはＳＳＩＤ「ＳＳＩＤ１」が設定されている。
【０２０８】
このとき、第二通信部２２はアンテナ１２ｂで送出する接続要求信号（Probe Request）を、上記のメッセージに置き換えて送出するようになる。
【０２０９】
以降、中継装置１２は、上記実施の形態１と同様に通信閉塞の処理Ｓ５７と次バッテリー残量条件判断の処理Ｓ５８とを行う。
【０２１０】
（Ｓ１７０１）
図１７を参照する。
ここで、利用者によって端末１３が起動することで、ＳＳＩＤ「ＳＳＩＤ１」を含む接続要求（Probe Request）をアンテナ１３ｂから送出する。
また、利用者によって端末１３が移動することで無線エリアＢに存在するようになると、端末１３から送出された接続要求（Probe Request）の電波はやがて無線エリアＢ内に存在し、端末１３とのあいだで通信が確立されていない（端末１３が帰属していない）中継装置１２に到達する。
【０２１１】
（Ｓ１７０２）
このとき、中継装置１２の第二通信部２２は、アンテナ１２ｂで送出する接続応答（Prove Response）を制御部２５から与えられたメッセージに置き換えて送出する。
【０２１２】
端末１３は通信部８１の電波の送受の制御でアンテナ１３ｂで無線ＬＡＮの通信を得て、制御部８２で拡張された接続応答（Prove Response）であるかを判断する。
この場合、接続応答（Prove Response）情報要素１６４の後にバッテリー残量減少情報１３１が含まれているので、拡張された接続応答（Prove Response）のフレームであると判断してバッテリー残量減少情報１３１「中継装置のバッテリーの残量が減少しています,connected_selection」の情報から「,」以前の「中継装置のバッテリーの残量が減少しています」を取得し表示部８３に与える。
このとき、制御部８２はバッテリー残量減少情報１３１「中継装置のバッテリーの残量が減少しています,connected_selection」の情報から「,」以降の「connected_selection」に基づいて、「connected_selection」の命令部分に基づいて、「通信を継続しますか？」の情報、通信を継続するか否かを選択する「はい（Ｙ）」ボタンおよび「いいえ（Ｎ）」ボタンを追加した、帰属し通信を行うか否かを選択させるウィンドウに変換した後に表示部８３に与えている。
【０２１３】
（Ｓ１７０３）
端末１３の表示部８３は制御部８２から与えられたバッテリー残量減少情報１３１「中継装置のバッテリーの残量が減少しています」の情報をＬＣＤに表示する。
このとき、端末１３の表示部８３のＬＣＤには図１４のようなウィンドウが表示される。
【０２１４】
こうして中継装置１２に帰属（通信を確立）していない端末１３の表示部８３で「中継装置のバッテリーの残量が減少しています」の情報が表示されるので、端末１３の利用者は中継装置１２のバッテリー２４の残量が減少していることを知ることができる。
【０２１５】
さらに、中継装置１２に帰属していない端末１３の利用者は、中継装置１２のバッテリーの電気が減少していることを知りつつ、端末１３を中継装置１２に帰属させ、中継装置１２を介しての通信を行うか否かを予め選択できるようになる。
【０２１６】
ここで、端末１３が得たメッセージにはＳＳＩＤ「ＳＳＩＤ１」が設定されており、端末１３自身に設定されたＳＳＩＤと同じであるから、端末１３はメッセージを送出する中継装置１２に対して接続処理が行える。
【０２１７】
（Ｓ１７０４）
利用者がＬＣＤにポップアップ表示されたメッセージに対して、中継装置１２を介しての通信を確立する操作（「はい（Ｙ）」を選択）をすると、端末１３は中継装置１２とのあいだで接続処理を開始し、通信を確立する（帰属する）。
【０２１８】
一方、利用者がＬＣＤにポップアップ表示されたメッセージに対して、中継装置１２を介しての通信を確立しない操作（「いいえ（Ｎ）」を選択）をすると、端末１３と中継装置１２とのあいだで接続処理は行われない。
【０２１９】
また、利用者が通信を確立する操作または通信を確立しない操作を行うまで、端末１３は中継装置１２との接続処理を保留状態にしておく。
【０２２０】
以上のように本実施の形態においては、バッテリー２４の残量が所定の条件を満たすとき、接続応答信号（Prove Response）に、バッテリー残量が減少した旨を示す情報と、端末１３により実行され中継装置１２と通信を行うか否かを選択させる命令とを付与し、無線ＬＡＮに送出する。
このため、端末１３が中継装置１２との通信を確立する以前に、バッテリー残量不足の情報を通知することができる。
よって、中継装置１２に帰属していない端末１３の利用者は、中継装置１２のバッテリー２４の電気が減少していることを知った後、端末１３を中継装置１２に帰属させて中継装置１２を介しての通信を行うか否かを選択できるようになる。
【０２２１】
実施の形態４．
無線ＬＡＮでは、無線局（無線ＬＡＮ端末（ＳＴＡ）や無線ＬＡＮアクセスポイント（ＡＰ））の送受信の間合いを規定する媒体アクセス制御（ＭＡＣ：Media Access Control）として、分散的制御のＤＣＦ（Distributed Coordination Function）が知られている。ＤＣＦではＣＳＭＡ／ＣＡ（Carrier Sense Multiple Access/Collision Avoidance）の手順が適用されている。
【０２２２】
ＣＳＭＡ／ＣＡとは、フレームの送出を試みようとする無線局が、通信を開始する前に一度受信を試みて無線チャネルの使用状況を確認し（キャリアセンス（Carrier Sense））、他の無線局から通信を受信せず他の無線局が通信していないとわかると送出を開始し（Multiple Access）、他の無線局から通信を受信して他の無線局が通信していることがわかると送出を見合わせ待機（アイドル（idel））して衝突を回避した後に再送を試みる（Collision Avoidance）ものである。
【０２２３】
ところで、無線通信を行う無線局は、電波の送受信を行っており、一般的には、電波の受信処理より送信処理が多くの電力を必要とする。いいかえると、無線局で電波の送出を頻繁に行うと電力を消費する。
【０２２４】
ＣＳＭＡ／ＣＡでは、アイドルのときに電波を送出していない。
したがって、中継装置１２の無線ＬＡＮの通信において、アイドルを増大させることで電力の消費を抑えることができる。
例えば、１００を単位時間とすると、１〜１００のうち３０（１〜３０）がアイドルとなるときは７０（３１〜１００）で送出となる可能性があり、一方、１〜１００のうち７０（１〜７０）がアイドルとなるときは３０（７１〜１００）で送出となる可能性がある。
【０２２５】
ＣＳＭＡ／ＣＡのアイドルは、ＩＦＳ（Inter Frame Space）時間とバックオフ（backoff）時間とをあわせた時間と規定されている。
ＩＦＳはフレームの送出を試みようとする無線局が最低限の送出見合わせ時間であり、バックオフ時間はランダム時間（可変）である。
したがって、無線ＬＡＮ端末（ＳＴＡ）や無線ＬＡＮアクセスポイント（ＡＰ）は、ＩＦＳ時間経過後、さらにバックオフ時間経過した後にフレームの送出を試みる。
なお、バックオフ時間は無線局ごとに異なるバックオフ時間を生成するようにするから、送出の衝突を回避する確率を高め、衝突を低減する。
【０２２６】
無線局ごとに生成するバックオフ時間は、乱数発生範囲であるＣＷ（Contention Window）の範囲（０〜ＣＷ）で整数の乱数値を発生させ、この乱数値に一定時間を掛けることで導出する。この一定時間をスロットタイムといい、ＣＷとスロットタイムは、無線ＬＡＮにおいては、例えば、ＣＷ＝１５〜１０２３、スロットタイム＝９μｓ（マイクロ秒）などと規定されている。この場合のバックオフ時間は、「バックオフ時間＝１５〜１０２３の範囲の乱数値×９μｓ」で導出する。
【０２２７】
また、ＣＳＭＡ／ＣＡでは、送出が衝突した場合に、ＣＷの値が２倍に増加する２進指数バックオフが適用され、衝突するたびに送出の再衝突を回避する確率を高め、再衝突を低減する。
【０２２８】
したがって、ＣＷの範囲を調整（可変）することでバックオフ時間を制御することが可能で、ある無線局でバックオフ時間が増大する確率を高め、アイドル（ＩＦＳ時間＋バックオフ時間）を増大することができる。
つまり、無線局でアイドル時間を増大することで、電波の送出しない時間が増え、結果として電波の送出の回数を減らすことができる。
【０２２９】
上記実施の形態１では、中継装置１２と端末１３とのあいだで、中継装置１２がバッテリー残量減少情報を無線エリアＢに送出し端末１３に通知し、無線ＬＡＮおよび／またはＷｉＭＡＸの通信を閉塞することで通信を行わないようにしてバッテリー２４の電気の消費を抑えた。
【０２３０】
本実施の形態４では、中継装置１２と端末１３とのあいだで、中継装置１２がバッテリー残量減少情報を無線エリアＢに送出し端末１３に通知し、無線ＬＡＮの送信回数を減らすようにしてバッテリー２４の電気の消費を抑える形態について説明する。
【０２３１】
なお、送信回数とは、中継装置１２がバッテリー２４から電気を供給されて動作を開始してから、バッテリー２４から給電がなくなるまでのあいだの送信回数である。
【０２３２】
なお、本実施の形態４における無線通信システムの構成は、上記実施の形態１と同様であり、中継装置１２、基地局１１および端末１３の構成も実施の形態１と同様である。
【０２３３】
以下、本実施の形態４の動作について、上記実施の形態１との相違点を中心に、具体的に説明する。
【０２３４】
なお、実施の形態４における中継装置１２（図２）および端末１３（図５）の無線ＬＡＮはＤＣＦの媒体アクセス制御に対応し、ＣＳＭＡ／ＣＡの媒体アクセス制御方式に対応するものとして説明する。
なお、本発明の媒体アクセス制御方式はこれに限定されるものではない。
【０２３５】
なお、アイドル（ＩＦＳ時間＋バックオフ時間）は、本発明における「送信待機時間」に相当する。
また、ＩＦＳ時間は、本発明における「所定の固定時間」に相当する。
また、ＣＷの範囲にスロットタイムを乗じた時間範囲が、本発明における「所定の時間範囲」に相当する。
【０２３６】
（中継装置１２の相違点）
上記実施の形態１では、中継装置１２が特段にＣＳＭＡ／ＣＡを意識した処理を示していない。
一方、本実施の形態４では、中継装置１２の第二通信部２２は、アンテナ１２ｂとバスで接続されアンテナ１２ｂで送受する電波をＣＳＭＡ／ＣＡに基づいて制御する。
例えば、第二通信部２２には、初期値として、ＣＷ＝１５〜１０２３、スロットタイム＝９μｓと予め設定され、この設定に基づいてフレームの送出を試みる。
つまり、第二通信部２２は、キャリアセンスによって無線チャネルの空き状態を検出した後、送信待機時間を経過したとき、フレーム（通信データ）の送出が可能な状態となる。
【０２３７】
また、後述する動作により、第二通信部２２は制御部２５から新たなＣＷが設定される。
第二通信部２２は新たなＣＷが設定されると、新たなＣＷに基づいてフレームの送出を試みる。
具体的な動作は後述する。
【０２３８】
図１８は実施の形態４に係るバッテリー残量減少情報の通知動作および通信の制御動作を示す図である。
上記実施の形態１では、中継装置１２が通信閉塞の処理Ｓ５７で無線ＬＡＮおよび／またはＷｉＭＡＸの通信を閉塞することで通信を行わないようにしてバッテリー２４の電気の消費を抑えた。
一方、実施の形態４では、図１８に示すように、中継装置１２で通信閉塞の処理Ｓ５７の代わりに、ＣＷ設定の処理Ｓ１８１を行うように変更されている。
なお、図１８に示すバッテリー残量減少情報の通知の動作において、Ｓ５１〜Ｓ５６およびＳ５８は実施の形態１と同様である。
【０２３９】
図１９は実施の形態４に係るチェック条件データの構成図である。
また、実施の形態１では、中継装置１２の記憶部２３において、通信閉塞の処理Ｓ５７で取り扱うデータを含むチェック条件データ（図３）を記憶していたが、実施の形態４では、中継装置１２の記憶部２３で図１９に示すチェック条件データを記憶する。
【０２４０】
図１９において、本実施の形態４に係るチェック条件データは、バッテリー残量条件３１のデータと、通信を開始する通信部３２のデータと、ＣＷｍｉｎ１９１のデータと、ＣＷｍａｘ１９２のデータと、メッセージを送信する通信部３５のデータと、メッセージタイプ３６のデータとから構成される。
ＣＷｍｉｎ１９１は乱数発生範囲ＣＷの最小値（ＣＷｍｉｎ）を示し、ＣＷｍａｘ１９２は乱数発生範囲ＣＷの最大値（ＣＷｍａｘ）を示すものである。
図１９のＣＷｍｉｎ１９１およびＣＷｍａｘ１９２はバッテリー残量に応じてバックオフ時間が増大する確率を高める乱数発生範囲ＣＷ（ＣＷｍｉｎ〜ＣＷｍａｘ）となっている。
例えば、図１９の上段ではＣＷｍｉｎ１９１を「２５５」と設定し、ＣＷｍａｘ１９２を「１０２３」と設定している。図１９の下段ではＣＷｍｉｎ１９１を「７６７」と設定し、ＣＷｍａｘ１９２を「１０２３」と設定している。
なお、図１９に示すバッテリー残量減少情報の通知の動作において、バッテリー残量条件３１、通信を開始する通信部３２、メッセージを送信する通信部３５およびメッセージタイプ３６は実施の形態１と同様である。
【０２４１】
チェック条件データは適宜に設定・変更が可能である。
図１９のチェック条件データは上段と下段の二つの条件が設定されているが、これに限定されるものではなく、さらに複数の条件を設定してもよい。
なお、無線ＬＡＮにおいて、初期値としてＣＷ＝１５〜１０２３と規定されている場合であっても、ＣＷｍｉｎ１９１とＣＷｍａｘ１９２はＣＷ＝１５〜１０２３の範囲に合致する必要はなく、例えば、ＣＷｍｉｎ１９１を「１２０」と設定し、ＣＷｍａｘ１９２を「８１８４」と設定することも可能である。
【０２４２】
なお、ＣＷｍｉｎ１９１にスロットタイムを乗じた値が、本発明における「所定の時間範囲の下限値」に相当する。
【０２４３】
ここで、本実施の形態４における、中継装置１２のＣＷ設定の処理Ｓ１８１（図１８）を説明する。
【０２４４】
まず、実施の形態１で説明したとおり、制御部２５でＳ５１〜Ｓ５６を行う。
なお、実施の形態４の条件呼出の処理Ｓ５１において呼び出すチェック条件データは図１９である。
【０２４５】
つづいて、ＣＷ設定の処理Ｓ１８１において、条件呼出の処理Ｓ５１で呼び出したチェック条件データのＣＷｍｉｎ１９１およびＣＷｍａｘ１９２で設定してあるデータを新たなＣＷとして直ちに第二通信部２２に設定する。
【０２４６】
なお、実施の形態１の通信閉塞の処理Ｓ５７では、通信を閉塞する通信部３３で設定された通信部を、閉塞するタイミング３４で設定されたタイミングで閉塞したが、実施の形態４のＣＷ設定の処理Ｓ１８１では、新たなＣＷを直ちに第二通信部２２に設定する。
【０２４７】
次に、中継装置１２によるバッテリー残量減少情報の通知動作の具体例と、基地局１１、中継装置１２、および端末１３の通信動作のシーケンスについて、上記実施の形態１との相違点を中心に説明する。
【０２４８】
（通信動作のシーケンス）
図２０は実施の形態４に係る無線通信システムの動作のシーケンスを示す図である。
以降、図１８と図２０を参照して説明する。なお、上記実施の形態１と同一の動作には同一のステップ番号を付する。
【０２４９】
中継装置１２はバッテリー２４から電気を供給されると動作を開始し、実施の形態１の動作で説明したとおりＳ５１〜Ｓ５４の処理をする。
【０２５０】
通信開始の処理Ｓ５４において、条件呼出の処理Ｓ５１で呼び出したチェック条件データの、通信を開始する通信部３２「第二通信部２２および第一通信部２１」で適宜に通信を始めるようになると、第二通信部２２はＣＷ＝１５〜１０２３（初期値）、スロットタイム＝９μｓの設定に基づき、「１５〜１０２３の範囲の乱数値×９μｓ」からバックオフ時間を導出してアイドルし、フレームの送出を試みる。
【０２５１】
以降、実施の形態１の動作で説明したとおりＳ１１０１〜Ｓ１１０４の動作をする。
【０２５２】
あるとき、バッテリー２４の残量が２０％になる。
このとき、制御部２５はＳ５２〜Ｓ５６の処理を行い、Ｓ１１０５〜Ｓ１１０６の動作をする。
【０２５３】
つづいて、制御部２５はＣＷ設定の処理Ｓ１８１において、条件呼出の処理Ｓ５１で呼び出したチェック条件データのＣＷｍｉｎ１９１「２５５」およびＣＷｍａｘ１９２「１０２３」を新たなＣＷとして直ちに第二通信部２２に設定する。
【０２５４】
（Ｓ２００１）
第二通信部２２は、新たなＣＷ（ＣＷｍｉｎ１９１「２５５」およびＣＷｍａｘ１９２「１０２３」）を設定されたことで、ＣＷ＝２５５〜１０２３、スロットタイム＝９μｓの設定に基づき、「２５５〜１０２３の範囲の乱数値×９μｓ」からバックオフ時間を導出してアイドルし、フレームの送出を試みる。
【０２５５】
こうして、中継装置１２のＣＷ設定の処理Ｓ１８１で、第二通信部２２に対してバックオフ時間が増大する確率を高めるＣＷを設定し、アイドル（ＩＦＳ時間＋バックオフ時間）を増大させることが可能となる。
【０２５６】
つまり、ＣＷの下限値を初期値「１５」からＣＷｍｉｎ１９１「２５５」に増加させて、ＣＳＭＡ／ＣＡの媒体アクセス制御を行うことで、初期値のときと比較して、単位時間当たりにおけるアイドルの割合を増加させることが可能となる。
よって、無線ＬＡＮの送信回数を減らすことができ、バッテリー２４の電気の消費を抑えることができる。
【０２５７】
つづいて、制御部２５は上記実施の形態１と同様に、次バッテリー残量条件判断の処理Ｓ５８の処理を行う。
【０２５８】
あるとき、バッテリー２４の残量が１０％になる。
このとき、制御部２５はＳ５２〜Ｓ５６の処理を行い、Ｓ１１０７〜Ｓ１１０８の動作をする。
【０２５９】
（Ｓ２００２）
つづいて、制御部２５はＣＷ設定の処理Ｓ１８１において、条件呼出の処理Ｓ５１で呼び出したチェック条件データのＣＷｍｉｎ１９１「７６７」およびＣＷｍａｘ１９２「１０２３」を新たなＣＷとして直ちに第二通信部２２に設定する。
【０２６０】
第二通信部２２は、新たなＣＷ（ＣＷｍｉｎ１９１「７６７」およびＣＷｍａｘ１９２「１０２３」）を設定されたことで、ＣＷ＝７６７〜１０２３、スロットタイム＝９μｓの設定に基づき、「７６７〜１０２３の範囲の乱数値×９μｓ」からバックオフ時間を導出してアイドルし、フレームの送出を試みる。
【０２６１】
こうして、中継装置１２のＣＷ設定の処理Ｓ１８１で、第二通信部２２に対してバックオフ時間が増大する確率を高めるＣＷを設定し、アイドル（ＩＦＳ時間＋バックオフ時間）を増大させることが可能となる。
【０２６２】
つまり、ＣＷの下限値をＣＷｍｉｎ１９１「２５５」からＣＷｍｉｎ１９１「７６７」に増加させて、ＣＳＭＡ／ＣＡの媒体アクセス制御を行うことで、残量が２０％のときと比較して、単位時間当たりにおけるアイドルの割合を、さらに増加させることが可能となる。
よって、無線ＬＡＮの送信回数を、さらに減らすことができ、バッテリー２４の電気の消費をさらに抑えることができる。
【０２６３】
つづいて、制御部２５は上記実施の形態１と同様に、次バッテリー残量条件判断の処理Ｓ５８の処理を行う。
【０２６４】
別のチェック条件データがない場合は、動作を終了する。
【０２６５】
以降、中継装置１２はバッテリー２４から動作に必要な電気の供給が続く限り動作を続け、やがてバッテリー２４からの給電がなくなると停止する。
【０２６６】
以上のように本実施の形態においては、キャリアセンスによって無線チャネルの空き状態を検出した後、少なくとも、送信待機時間を経過したとき、フレーム（通信データ）の送出を可能な状態にする媒体アクセス制御を行い、バッテリー２４の残量が所定の条件を満たすとき、単位時間当たりにおけるアイドルの割合を増加させる。
このため、中継装置のバッテリーの残量が減少した際に、フレームを送出しないアイドル時間を増加させることができ、結果としてフレームの送出の回数を減らすことができる。
よって、中継装置１２のバッテリー２４の残量が減少した際に、バッテリー２４の電気の消費を抑えることができる。
【０２６７】
また、バッテリー２４の残量が所定の条件を満たすとき、媒体アクセス制御における所定の時間範囲の下限値を増加させる。
このため、単位時間当たりにおけるアイドルの割合を増加させることが可能となる。
よって、無線ＬＡＮの送信回数を減らすことができ、バッテリー２４の電気の消費をさらに抑えることができる。
【０２６８】
また、バッテリー２４の残量が少ない程、媒体アクセス制御における所定の時間範囲の下限値を増加させる。
このため、バッテリー２４の残量が少ない程、アイドル時間を増加することができる。
よって、バッテリー２４の残量が少ない程、無線ＬＡＮの送信回数を減らすことができ、バッテリー２４の電気の消費をさらに抑えることができる。
【０２６９】
実施の形態５．
本実施の形態５では、実施の形態４と同様に、中継装置１２と端末１３とのあいだで、中継装置１２がバッテリー残量減少情報を無線エリアＢに送出し端末１３に通知し、無線ＬＡＮの送信回数を減らすようにしてバッテリー２４の電気の消費を抑える形態について説明する。
【０２７０】
上記実施の形態４では、具体的には、バッテリー残量に応じて、予め設定しておいたバックオフ時間が増大する確率を高める乱数発生範囲ＣＷを用いてバックオフ時間を導出しフレームの送出を試みた。
【０２７１】
一方、本実施の形態５では、バッテリー残量に応じて、バックオフ時間が増大する確率を高める乱数発生範囲ＣＷを算出しバックオフ時間を導出しフレームの送出を試みる。
【０２７２】
なお、本実施の形態５における無線通信システムの構成は、上記実施の形態４と同様であり、中継装置１２、基地局１１および端末１３の構成も実施の形態４と同様である。
【０２７３】
以下、上記実施の形態４と、本実施の形態５との相違点を具体的に説明する。
【０２７４】
本実施の形態５では、実施の形態４のように、バッテリー残量に応じて、予め設定しておいたバックオフ時間が増大する確率を高める乱数発生範囲ＣＷを用いてバックオフ時間を導出しない。
よって、図１９で示すチェック条件データからＣＷｍｉｎ１９１とＣＷｍａｘ１９２を除いたチェック条件データを中継装置１２の記憶部２３で記憶する。
つまり、本実施の形態５に係るチェック条件データは、バッテリー残量条件３１のデータと、通信を開始する通信部３２のデータと、メッセージを送信する通信部３５のデータと、メッセージタイプ３６のデータとから構成される。
【０２７５】
また、本実施の形態５では、実施の形態４のように、中継装置１２は図１８と同様の動作をするが、ＣＷ設定の処理Ｓ１８１での処理が実施の形態４と相違する。
以下、本実施の形態５の動作について、上記実施の形態４との相違点を説明する。
【０２７６】
まず、実施の形態４で説明したとおり、制御部２５でＳ５１〜Ｓ５６を行う。
なお、実施の形態５の条件呼出の処理Ｓ５１において呼び出すチェック条件データは図１９で示すチェック条件データからＣＷｍｉｎ１９１とＣＷｍａｘ１９２を除いたものである。
【０２７７】
つづいて、ＣＷ設定の処理Ｓ１８１において、「ＣＷ値−（ＣＷ値×バッテリー残量）＝ＣＷｍｉｎ」によりＣＷｍｉｎを算出し、新たなＣＷｍｉｎの値として直ちに第二通信部２２に設定する。
ここで、ＣＷ値とはＣＷｍａｘの値からＣＷｍｉｎの値を差し引いた値である。
【０２７８】
より具体的にＣＷｍｉｎの算出について説明する。
制御部２５は第二通信部２２に設定されている現在のＣＷ設定を呼出し、ＣＷｍａｘの値とＣＷｍｉｎの値を減算（ＣＷｍａｘ−ＣＷｍｉｎ）してＣＷ値を算出する。
次に、バッテリー残量取得の処理Ｓ５２で得たバッテリー残量（％）に１００を除算し、さらに算出したＣＷ値を乗算（ＣＷ値×バッテリー残量）して乱数発生範囲絞込値を算出する。
そして、算出したＣＷ値から乱数発生範囲絞込値を減算（ＣＷ値−（ＣＷ値×バッテリー残量））してＣＷｍｉｎを算出する。
なお、乱数発生範囲絞込値を算出した結果が実数である場合は小数点以下を四捨五入し整数化してからＣＷｍｉｎを算出する。
【０２７９】
このようにＣＷｍｉｎを算出することで、バッテリー２４の残量が少ない程、ＣＷｍｉｎが大きくなる。
つまり、バッテリー２４の残量が少ない程、バックオフ時間の下限値を増加させることができる。
【０２８０】
なお、算出するＣＷｍｉｎの値をより増大するために、制御部２５が第二通信部２２に設定されている現在のＣＷ設定を呼出し、現在のＣＷ設定を所定倍してから、ＣＷｍｉｎを算出することもできる。
【０２８１】
具体的には、第二通信部２２にＣＷ＝１５〜１０２３と予め設定されているときにおいて、制御部２５は第二通信部２２に設定されている現在のＣＷ設定を呼出し、例えば所定倍（２倍）（１５×２〜１０２３×２）し、ＣＷｍａｘの値とＣＷｍｉｎの値を減算（ＣＷｍａｘ−ＣＷｍｉｎ＝（１０２３×２）−（１５×２））してＣＷ値を算出する。
次に、バッテリー残量取得の処理Ｓ５２で得たバッテリー残量（％）に１００を除算しさらに算出したＣＷ値を乗算（ＣＷ値×バッテリー残量）し、乱数発生範囲絞込値を算出する。
そして、算出したＣＷ値から乱数発生範囲絞込値を減算（ＣＷ値−（ＣＷ値×バッテリー残量））してＣＷｍｉｎを算出する。
乱数発生範囲絞込値を算出した結果が実数である場合は小数点以下を四捨五入し整数化してからＣＷｍｉｎを算出する。
この場合、ＣＷ設定の処理Ｓ１８１において、算出したＣＷｍｉｎと、所定倍したＣＷｍａｘとを新たなＣＷｍｉｎおよびＣＷｍａｘの値として直ちに第二通信部２２に設定するようになる。
【０２８２】
次に、中継装置１２によるバッテリー残量減少情報の通知動作の具体例と、基地局１１、中継装置１２、および端末１３の通信動作のシーケンスについて、上記実施の形態１との相違点を中心に説明する。
【０２８３】
（通信動作のシーケンス）
以降、図１８と図２０を参照して説明する。なお、上記実施の形態１と同一の動作には同一のステップ番号を付する。
【０２８４】
中継装置１２はバッテリー２４から電気を供給されると動作を開始し、実施の形態１の動作で説明したとおりＳ５１〜Ｓ５４の処理をする。
【０２８５】
以降、実施の形態１の動作で説明したとおりＳ１１０１〜Ｓ１１０４の動作をする。
【０２８６】
あるとき、バッテリー２４の残量が２０％になる。
このとき、制御部２５はＳ５２〜Ｓ５６の処理を行い、Ｓ１１０５〜Ｓ１１０６の動作をする。
【０２８７】
つづいて、制御部２５はＣＷ設定の処理Ｓ１８１において、制御部２５は第二通信部２２に設定されている現在のＣＷ設定（ＣＷ＝１５〜１０２３）を呼出し、ＣＷｍａｘの値とＣＷｍｉｎの値を減算（１０２３−１５）してＣＷ値（１００８）を算出する。また、バッテリー残量取得の処理Ｓ５２で得たバッテリー残量（％）に１００を除算しさらに算出したＣＷ値を乗算（２０（％）÷１００×１００８）し乱数発生範囲絞込値（２０２（２０１．６の小数点以下を四捨五入））を算出する。そして、ＣＷ値から乱数発生範囲絞込値を減算（１００８−２０２）してＣＷｍｉｎ＝８０６を算出する。
制御部２５は算出したＣＷｍｉｎ＝８０６を、新たなＣＷｍｉｎの値として直ちに第二通信部２２に設定する。
【０２８８】
（Ｓ２００１）
第二通信部２２は、新たなＣＷｍｉｎ（ＣＷｍｉｎ＝８０６）を設定されたことで、ＣＷ＝８０６〜１０２３、スロットタイム＝９μｓの設定に基づき、「８０６〜１０２３の範囲の乱数値×９μｓ」からバックオフ時間を導出してアイドルし、フレームの送出を試みる。
【０２８９】
こうして、中継装置１２のＣＷ設定の処理Ｓ１８１で、第二通信部２２に対してバックオフ時間が増大する確率を高めるＣＷを設定し、アイドル（ＩＦＳ時間＋バックオフ時間）を増大させることが可能となる。
【０２９０】
つまり、ＣＷｍｉｎ＝１５から、ＣＷｍｉｎ＝８０６に増加させて、ＣＳＭＡ／ＣＡの媒体アクセス制御を行うことで、ＣＷｍｉｎ＝１５のときと比較して、単位時間当たりにおけるアイドルの割合を増加させることが可能となる。
よって、無線ＬＡＮの送信回数を減らすことができ、バッテリー２４の電気の消費を抑えることができる。
【０２９１】
つづいて、制御部２５は上記実施の形態１と同様に、次バッテリー残量条件判断の処理Ｓ５８の処理を行う。
【０２９２】
あるとき、バッテリー２４の残量が１０％になる。
このとき、制御部２５はＳ５２〜Ｓ５６の処理を行い、Ｓ１１０７〜Ｓ１１０８の動作をする。
【０２９３】
（Ｓ２００２）
つづいて、制御部２５はＣＷ設定の処理Ｓ１８１において、制御部２５は第二通信部２２に設定されている現在のＣＷ設定（ＣＷ＝８０６〜１０２３）を呼出し、ＣＷｍａｘの値とＣＷｍｉｎの値を減算（１０２３−８０６）してＣＷ値（２１７）を算出する。また、バッテリー残量取得の処理Ｓ５２で得たバッテリー残量（％）に１００を除算しさらに算出したＣＷ値を乗算（１０（％）÷１００×２１７）し、乱数発生範囲絞込値（２２（２１．７の小数点以下を四捨五入））を算出する。そして、ＣＷ値から乱数発生範囲絞込値を減算（１００８−２２）してＣＷｍｉｎ＝９８６を算出する。
制御部２５は算出したＣＷｍｉｎ＝９８６を、新たなＣＷｍｉｎの値として直ちに第二通信部２２に設定する。
【０２９４】
第二通信部２２は、新たなＣＷｍｉｎ（ＣＷｍｉｎ＝９８６）を設定されたことで、ＣＷ＝９８６〜１０２３、スロットタイム＝９μｓの設定に基づき、「９８６〜１０２３の範囲の乱数値×９μｓ」からバックオフ時間を導出してアイドルし、フレームの送出を試みる。
【０２９５】
こうして、中継装置１２のＣＷ設定の処理Ｓ１８１で、第二通信部２２に対してバックオフ時間が増大する確率を高めるＣＷを設定し、アイドル（ＩＦＳ時間＋バックオフ時間）を増大させた。
【０２９６】
つまり、ＣＷの下限値をＣＷｍｉｎ＝８０６からＣＷｍｉｎ＝９８６に増加させて、ＣＳＭＡ／ＣＡの媒体アクセス制御を行うことで、残量が２０％のときと比較して、単位時間当たりにおけるアイドルの割合を、さらに増加させることが可能となる。
よって、無線ＬＡＮの送信回数を、さらに減らすことができ、バッテリー２４の電気の消費をさらに抑えることができる。
【０２９７】
つづいて、制御部２５は上記実施の形態１と同様に、次バッテリー残量条件判断の処理Ｓ５８の処理を行う。
【０２９８】
別のチェック条件データがない場合は、動作を終了する。
【０２９９】
以降、中継装置１２はバッテリー２４から動作に必要な電気の供給が続く限り動作を続け、やがてバッテリー２４からの給電がなくなると停止する。
【０３００】
以上のように本実施の形態においては、キャリアセンスによって無線チャネルの空き状態を検出した後、少なくとも、送信待機時間を経過したとき、フレーム（通信データ）の送出を可能な状態にする媒体アクセス制御を行い、バッテリー２４の残量が所定の条件を満たすとき、単位時間当たりにおけるアイドルの割合を増加させる。
このため、中継装置のバッテリーの残量が減少した際に、フレームを送出しないアイドル時間を増加させることができ、結果としてフレームの送出の回数を減らすことができる。
よって、中継装置１２のバッテリー２４の残量が減少した際に、バッテリー２４の電気の消費を抑えることができる。
【０３０１】
また、バッテリー２４の残量が所定の条件を満たすとき、媒体アクセス制御における所定の時間範囲の下限値を増加させる。
このため、単位時間当たりにおけるアイドルの割合を増加させることが可能となる。
よって、無線ＬＡＮの送信回数を減らすことができ、バッテリー２４の電気の消費をさらに抑えることができる。
【０３０２】
また、バッテリー２４の残量が少ない程、媒体アクセス制御における所定の時間範囲の下限値を増加させる。
このため、バッテリー２４の残量が少ない程、アイドル時間を増加することができる。
よって、バッテリー２４の残量が少ない程、無線ＬＡＮの送信回数を減らすことができ、バッテリー２４の電気の消費をさらに抑えることができる。
【０３０３】
なお、上記実施の形態４および５では、ＣＷの範囲の下限値（ＣＷｍｉｎ）を増加させる場合を説明したが、本発明はこれに限るものではなく、単位時間当たりにおける送信待機時間（アイドル）の時間の割合を増加させるものであればよい。
例えば、ＣＷの範囲の上限値（ＣＷｍａｘ）を増加させることによっても、バックオフ時間が長くなる期待値が大きくなるため、単位時間当たりのアイドル時間を増加することができる。
また、残量が少ないほど、スロットタイムを増加させるようにしても良い。
また、残量に応じてＣＷ値を累乗または任意の値を乗算して、残量が少ないほどＣＷ値（上限値および／または下限値）が大きくなるようにしても良い。
【０３０４】
なお、上記実施の形態４および５では、上記実施の形態１と同様の構成・動作により、バッテリー残量減少情報の通知動作を行う場合を説明したが、本発明はこれに限るものではなく、バッテリー残量減少情報の通知動作を行わずに、媒体アクセス制御においてアイドル時間をさせる動作のみを行うようにしても良い。
具体的には、図１８に示す処理において、ステップＳ５５、Ｓ５６を省略し、図２０に示す処理において、ステップＳ１１０５〜Ｓ１１１０を省略するようにしても良い。
このような動作によっても、中継装置１２のバッテリー２４の残量が減少した際に、バッテリー２４の電気の消費を抑えることができる。
【符号の説明】
【０３０５】
１１  基地局、１１ａ  アンテナ、１１ｂ  アンテナ、１２  中継装置、１２ａ  アンテナ、１２ｂ  アンテナ、１３  端末、１３ｂ  アンテナ、２１  第一通信部、２２  第二通信部、２４  バッテリー、２５  制御部、３１  バッテリー残量条件、３２  通信を開始する通信部、３３  通信を閉塞する通信部、３４  閉塞するタイミング、３５  メッセージを送信する通信部、３６  メッセージタイプ、４１  電圧範囲、４２  バッテリー残量、６１  ＭＡＣヘッダ、６２  フレーム制御フィールド、６３  フレームボディー、６４  ビーコン情報要素、６５  バッテリー残量減少情報、７１  一般ＭＡＣヘッダ、７２  ペイロード、７３  マネジメントメッセージタイプ、７４  マネジメントメッセージペイロード、８１  通信部、８２  制御部、８３  表示部、９１  第一通信部、９２  第二通信部、９３  制御部、１０１  ＡＳＮ、１０２  ＣＳＮ、１０３  ＡＳＰ、１３１  バッテリー残量減少情報、１６２  フレーム制御フィールド、１６４  接続応答情報要素、１９１  ＣＷｍｉｎ、１９２  ＣＷｍａｘ、Ａ  無線エリア、Ｂ  無線エリア、ａ  ＷｉＭＡＸ端末。
【図１】
0005454217.tif 000002
【図２】
0005454217.tif 000003
【図３】
0005454217.tif 000004
【図４】
0005454217.tif 000005
【図５】
0005454217.tif 000006
【図６】
0005454217.tif 000007
【図７】
0005454217.tif 000008
【図８】
0005454217.tif 000009
【図９】
0005454217.tif 000010
【図１０】
0005454217.tif 000011
【図１１】
0005454217.tif 000012
【図１２】
0005454217.tif 000013
【図１３】
0005454217.tif 000014
【図１４】
0005454217.tif 000015
【図１５】
0005454217.tif 000016
【図１６】
0005454217.tif 000017
【図１７】
0005454217.tif 000018
【図１８】
0005454217.tif 000019
【図１９】
0005454217.tif 000020
【図２０】
0005454217.tif 000021